(57)【要約】【課題】  借入可能カードを用い、借入してまでも遊技にのめり込ませることを効果的に防止し、デビットカード取引の信頼性を高める。【解決手段】  情報処理センタ５は、カード発行機６０、自動販売機７５である販売機の端末ＩＤに対応して該販売機に対応する第１の利用制限情報を設定する第１の設定テーブルと、金融機関コードおよび該金融機関に対応する第２の利用制限情報を設定する第２の設定テーブルを有し、利用制限判定部５６２は、デビット端末８０からの決済要求情報から特定した金融機関コードに対応して第２の利用制限情報でデビット決済を制限し、決済要求情報から特定された販売機の端末ＩＤに対応して第１の利用制限情報でデビット決済を制限する。【選択図】  図４
2008264529.tif 000002
【特許請求の範囲】
【請求項１】
遊技店に設けられ、販売機でのデビットカードを用いたデビット処理を制御するデビット端末と、
前記デビット端末と公衆回線網を介して接続され、前記デビット端末から送信された決済要求に基づき前記デビットカードを発行した金融機関の該当する口座から前記販売機での前記デビット処理に係わる販売額を引き落とすデビット決済を制御するデビットセンタ処理装置と
を具備し、
前記デビットセンタ処理装置は、
前記販売機によるデビット決済を制限する第１の利用制限情報を前記デビットカードに対応して設定する第１の設定手段と、
前記販売機によるデビット決済を制限する第２の利用制限情報を前記金融機関に対応して設定する第２の設定手段と、
前記決済要求に基づき前記デビット決済に係わる販売機および金融機関を特定する特定手段と、
前記特定手段により特定された販売機によるデビット決済を、前記第１の利用制限情報により制限するとともに、前記特定手段により特定された金融機関に対応して前記第２の利用制限情報により制限するデビット決済制限手段と
を具備するデビットカードシステム。
【請求項２】
前記販売機は、
前記遊技店で利用する遊技媒体の貸し出しに用いる記録媒体を前記デビット決済により発行するデビット記録媒体発行機であり、
前記デビット端末は、
前記デビット記録媒体発行機内に設けられる請求項１記載のデビットカードシステム。
【請求項３】
前記第１の利用制限情報は、
前記デビット端末が前記デビット記録媒体発行機内に設けられた場合とその他の場合とで異なる請求項２記載のデビットカードシステム。
【請求項４】
前記第１の利用制限情報は、
前記販売機における所定期間あたりの上限金額または上限回数、１回の販売当たりの上限金額または下限金額のうちの少なくとも１つを設定する設定項目を含む請求項１乃至３のいずれか記載のデビットカードシステム。
【請求項５】
前記第２の利用制限情報は、
前記デビット決済が利用不可な金融機関を設定し、
前記デビット決済制限手段は、
前記特定手段により特定された金融機関が前記第２の設定手段に設定された金融機関と一致する場合、前記デビット決済を拒否し、一致しない場合、前記特定手段により特定された販売機に対応して前記第１の利用制限情報により前記デビット決済を制限する請求項１または２記載のデビットカードシステム。
【請求項６】
前記第２の利用制限情報は、
前記デビット決済が利用可能な金融機関を設定し、
前記デビット決済制限手段は、
前記特定手段により特定された金融機関が前記第２の設定手段に設定された金融機関と一致しない場合、前記デビット決済を拒否し、一致する場合、前記特定手段により特定された販売機に対応して前記第１の利用制限情報により前記デビット決済を制限する請求項１または２記載のデビットカードシステム。
【請求項７】
前記デビット決済制限手段は、
前記第２の利用制限情報により前記デビット決済を制限した後、前記第１の制限情報により前記デビット決済を制限する請求項１乃至６のいずれかに記載のデビットカードシステム。
【請求項８】
前記デビット決済制限手段は、
前記第１の利用制限情報により前記デビット決済を制限した後、前記第２の利用制限情報により前記デビット決済を制限する請求項１乃至６のいずれかに記載のデビットカードシステム。
【請求項９】
前記デビットセンタ処理装置は、
前記デビット決済が前記第２の利用制限情報により制限された場合は、その旨を前記デビット端末に通知する通知手段
を具備し、
前記デビット端末は、
前記通知手段による通知に基づき前記デビット決済が前記デビットセンタ処理装置で制限された理由を報知する報知手段
を具備する請求項１乃至８のいずれかに記載のデビットカードシステム。
【請求項１０】
前記デビット端末は、
前記報知手段により前記デビット決済が不可であると報知された場合に、他のデビットカードによる再デビット決済を前記デビットセンタ処理装置に対して要求する再デビット決済要求手段
を具備する請求項９記載のデビットカードシステム。
【請求項１１】
前記デビット端末は、
前記デビット決済を利用不可な金融機関を記憶する記憶手段
を具備し、
前記デビット決済に係わる金融機関が前記記憶手段に記憶されている金融機関と一致する場合は、前記デビットセンタ処理装置に対する前記決済要求の送信を禁止する請求項１乃至１０のいずれかに記載のデビットカードシステム。
【請求項１２】
前記デビット端末は、
前記デビット決済を利用可能な金融機関を記憶する記憶手段
を具備し、
前記デビット決済に係わる金融機関が前記記憶手段に記憶されている金融機関と一致しない場合は、前記デビットセンタ処理装置に対する前記決済要求の送信を禁止する請求項１乃至１０のいずれかに記載のデビットカードシステム。
【請求項１３】
前記デビットセンタ処理装置は、
前記デビット決済が不可となった回数および金額のいずれかを含む履歴を集計する集計手段
を具備する請求項１乃至１２のいずれかに記載のデビットカードシステム。
【請求項１４】
前記集計手段は、
前記デビットセンタ処理装置で不可となったデビット決済が行われた場合の予測手数料を前記金融機関毎、前記デビット端末毎、若しくは遊技店毎、若しくは地域毎に集計する請求項１３記載のデビットカードシステム。
【請求項１５】
遊技店に設けられ、販売機でのデビットカードを用いたデビット処理を制御するデビット端末と、
前記デビット端末と公衆回線網を介して接続され、前記デビット端末から送信された決済要求に基づき前記デビットカードを発行した金融機関の該当する口座から前記販売機での前記デビット処理に係わる販売額を引き落とすデビット決済を制御するデビットセンタ処理装置と、
前記販売機によるデビット決済を制限する第１の利用制限情報を前記デビットカードに対応して設定する第１の設定手段と、
前記販売機によるデビット決済を制限する第２の利用制限情報を前記金融機関に対応して設定する第２の設定手段と、
前記決済要求に基づき前記デビット決済に係わる販売機および金融機関を特定する特定手段と、
前記特定手段により特定された販売機によるデビット決済を、前記第１の利用制限情報により制限するとともに、前記特定手段により特定された金融機関に対応して前記第２の利用制限情報により制限するデビット決済制限手段と
を具備するデビットカードシステム。
【請求項１６】
遊技媒体の貸し出しに用いる記録媒体を発行する記録媒体発行手段と前記記録媒体発行手段でのデビットカードを用いたデビット処理を制御するデビット処理手段とを有するデビット記録媒体発行機と、
前記デビット記録媒体発行機と公衆回線網を介して接続され、前記デビット処理手段から送信された決済要求に基づき前記デビットカードを発行した金融機関の該当する口座から前記デビット記録媒体発行機での前記デビット処理に係わる前記遊技媒体の発行額を引き落とすデビット決済を制御するデビットセンタ処理装置と、
前記デビット記録媒体発行機によるデビット決済を制限する第１の利用制限情報を前記デビットカードに対応して設定する第１の設定手段と、
前記デビット記録媒体発行機によるデビット決済を制限する第２の利用制限情報を前記金融機関に対応して設定する第２の設定手段と、
前記決済要求に基づき前記デビット決済に係わるデビット記録媒体発行機および金融機関を特定する特定手段と、
前記特定手段により特定されたデビット記録媒体発行機によるデビット決済を、前記第１の利用制限情報により制限するとともに、前記特定手段により特定された金融機関に対応して前記第２の利用制限情報により制限するデビット決済制限手段と
を具備するデビットカードシステム。
【請求項１７】
遊技店に設置された販売機でのデビットカードを用いたデビット処理を制御するデビット端末と公衆回線網を介して接続され、前記デビット端末から送信された決済要求に基づき前記デビットカードを発行した金融機関の該当する口座から前記販売機での前記デビット処理に係わる販売額を引き落とすデビット決済を制御するデビットセンタ処理装置であって、
前記販売機によるデビット決済を制限する第１の利用制限情報を前記デビットカードに対応して設定する第１の設定手段と、
前記販売機によるデビット決済を制限する第２の利用制限情報を前記金融機関に対応して設定する第２の設定手段と、
前記決済要求に基づき前記デビット決済に係わる販売機および金融機関を特定する特定手段と、
前記特定手段により特定された販売機によるデビット決済を、前記第１の利用制限情報により制限するとともに、前記特定手段により特定された金融機関に対応して前記第２の利用制限情報により制限するデビット決済制限手段と
を具備するデビットセンタ処理装置。
【請求項１８】
遊技媒体の貸し出しに用いる記録媒体を発行する記録媒体発行手段と前記記録媒体発行手段でのデビットカードを用いたデビット処理を制御するデビット処理手段とを有するデビット記録媒体発行機と公衆回線網を介して接続され、前記デビット処理手段から送信された決済要求に基づき前記デビットカードを発行した金融機関の該当する口座から前記デビット記録媒体発行機での前記デビット処理に係わる前記遊技媒体の発行額を引き落とすデビット決済を制御するデビットセンタ処理装置であって、
前記デビット記録媒体発行機によるデビット決済を制限する第１の利用制限情報を前記デビットカードに対応して設定する第１の設定手段と、
前記デビット記録媒体発行機によるデビット決済を制限する第２の利用制限情報を前記金融機関に対応して設定する第２の設定手段と、
前記決済要求に基づき前記デビット決済に係わるデビット記録媒体発行機および金融機関を特定する特定手段と、
前記特定手段により特定されたデビット記録媒体発行機によるデビット決済を、前記第１の利用制限情報により制限するとともに、前記特定手段により特定された金融機関に対応して前記第２の利用制限情報により制限するデビット決済制限手段と
を具備するデビットセンタ処理装置。
【請求項１９】
遊技店に設けられ、該遊技店に設置された販売機でのデビットカードを用いたデビット処理を制御するデビット端末であって、
前記販売機での前記デビットカードを用いた販売に際して、前記デビットカードを発行した金融機関の該当する口座から前記販売機での前記デビット処理に係わる販売額を引き落とすデビット決済を制御するデビットセンタ処理装置にデビット決済要求を送信する決済要求送信手段と、
前記デビット決済を利用不可な金融機関を記憶する記憶手段と、
前記デビット決済に係わる金融機関が前記記憶手段に記憶されている金融機関と一致する場合は、前記デビットセンタ処理装置に対する前記決済要求送信手段による前記決済要求の送信を禁止する禁止手段と
を具備するデビット端末。
【請求項２０】
遊技店に設けられ、該遊技店に設置された販売機でのデビットカードを用いたデビット処理を制御するデビット端末であって、
前記販売機での前記デビットカードを用いた販売に際して、前記デビットカードを発行した金融機関の該当する口座から前記販売機での前記デビット処理に係わる販売額を引き落とすデビット決済を制御するデビットセンタ処理装置にデビット決済要求を送信する決済要求送信手段と、
前記デビット決済を利用可能な金融機関を記憶する記憶手段と、
前記デビット決済に係わる金融機関が前記記憶手段に記憶されている金融機関と一致しない場合は、前記デビットセンタ処理装置に対する前記決済要求送信手段による前記決済要求の送信を禁止する禁止手段と
を具備するデビット端末。
【請求項２１】
遊技媒体の貸し出しに用いる記録媒体を発行する記録媒体発行手段と前記記録媒体発行手段でのデビットカードを用いたデビット処理を制御するデビット処理手段とを有するデビット記録媒体発行機であって、
前記デビットカードを用いた前記記録媒体の発行に際して、前記デビットカードを発行した金融機関の該当する口座から前記デビット処理に係わる発行額を引き落とすデビット決済を制御するデビットセンタ処理装置にデビット決済要求を送信する決済要求送信手段と、
前記デビット決済を利用不可な金融機関を記憶する記憶手段と、
前記デビット決済に係わる金融機関が前記記憶手段に記憶されている金融機関と一致する場合は、前記デビットセンタ処理装置に対する前記決済要求送信手段による前記決済要求の送信を禁止する禁止手段と
を具備するデビット記録媒体発行機。
【請求項２２】
遊技媒体の貸し出しに用いる記録媒体を発行する記録媒体発行手段と前記記録媒体発行手段でのデビットカードを用いたデビット処理を制御するデビット処理手段とを有するデビット記録媒体発行機であって、
前記デビットカードを用いた前記記録媒体の発行に際して、前記デビットカードを発行した金融機関の該当する口座から前記デビット処理に係わる発行額を引き落とすデビット決済を制御するデビットセンタ処理装置にデビット決済要求を送信する決済要求送信手段と、
前記デビット決済を利用可能な金融機関を記憶する記憶手段と、
前記デビット決済に係わる金融機関が前記記憶手段に記憶されている金融機関と一致しない場合は、前記デビットセンタ処理装置に対する前記決済要求送信手段による前記決済要求の送信を禁止する禁止手段と
を具備するデビット記録媒体発行機。
【発明の詳細な説明】
【技術分野】
【０００１】
本発明は、デビットカードシステム及びデビットセンタ処理装置及びデビット端末及びデビット記録媒体販売機に関する。
【背景技術】
【０００２】
パチンコ店等の遊技場においては、プリペイドカード等の遊技用記録媒体を受け入れて、該記録媒体に付与された有価価値または有価価値を特定する情報に基づいて遊技媒体を貸し出し可能とするカードシステムが普及している。
【０００３】
この種のカードシステムを備える、例えば、パチンコ店においては、遊技客がカード発行機にて予めプリペイドカードを購入し、遊技台（パチンコ台、パチスロマシン等）の横に設置されたカード処理ユニットにそのカードを挿入した状態で指定した金額に応じて該遊技台の遊技に必要な遊技媒体（パチンコ玉、メダル等）の貸し出しを受けてこの遊技台による遊技を行うようになっている。
【０００４】
この場合、遊技客が、遊技用プリペイドカードを購入する方法として、現金による他、デビットカード（キャッシュカード）を用いて決済を行うことができる遊技システムが実現されている。
【０００５】
デビットカードを用いてプリペイドカードを購入可能な従来の遊技システムについて、下記特許文献１には、予め設定された利用制限範囲内でキャッシュカード決済によるプリペイドカード発行の利用を制限する技術が提案されている。
【０００６】
ところで、今日、指定口座の預金残高の範囲内で引き落とし可能な通常のキャッシュカードの他、ある設定額の範囲内で金額を借入れできる借入機能を一体化した借入機能付キャッシュカードも普及しつつある。
【０００７】
上記通常のキャッシュカードでは、その取引可能額が、基本的に利用者のキャッシュカードの口座残高以内となるのに対して、借入機能付キャッシュカードでは、取扱金融機関によっては、このカードを使用したデビット取引において、利用者が金融機関から借入れを行うことによって、利用者のキャッシュカードの口座残高を越えた利用が可能になる場合がある。
【０００８】
これにより、特許文献１記載の遊技システムにおいて、借入機能付キャッシュカード用いると、指定口座の預金残高が不足する状況下でも、金融機関から借入する形でプリペイドカードの購入等の取引ができることになるので、デビット決済に歯止めをかけ、遊技にのめり込ませることを効果的に防止することができなかった。
【特許文献１】特開２００２−８８９号公報
【発明の開示】
【発明が解決しようとする課題】
【０００９】
上述したように、従来の遊技システムでは、借入機能付キャッシュカードを用いた場合、口座残高を超えた借入でのデビット取引についてまでの利用制限は行えないために、更に遊技にのめり込ませる要因となり、これを効果的に防止できないという問題点があった。
【００１０】
本発明は上記問題点を解消し、遊技店における借入機能付キャッシュカード等を用いたデビット決済により遊技客が遊技にのめり込むことを効果的に防止するとともに、デビット取引の信頼性を高めることが可能なデビットカードシステム及びデビットセンタ処理装置及びデビット端末及びデビット記録媒体販売機を提供することを目的とする。
【課題を解決するための手段】
【００１１】
上記目的を達成するために、請求項１の発明のデビットカードシステムは、遊技店に設けられ、販売機でのデビットカードを用いたデビット処理を制御するデビット端末と、前記デビット端末と公衆回線網を介して接続され、前記デビット端末から送信された決済要求に基づき前記デビットカードを発行した金融機関の該当する口座から前記販売機での前記デビット処理に係わる販売額を引き落とすデビット決済を制御するデビットセンタ処理装置とを具備し、前記デビットセンタ処理装置は、前記販売機によるデビット決済を制限する第１の利用制限情報を前記デビットカードに対応して設定する第１の設定手段と、前記販売機によるデビット決済を制限する第２の利用制限情報を前記金融機関に対応して設定する第２の設定手段と、前記決済要求に基づき前記デビット決済に係わる販売機および金融機関を特定する特定手段と、前記特定手段により特定された販売機によるデビット決済を、前記第１の利用制限情報により制限するとともに、前記特定手段により特定された金融機関に対応して前記第２の利用制限情報により制限するデビット決済制限手段とを具備する。
【００１２】
ここで、デビットカードとは、デビット取引を可能とするキャッシュカードで、指定口座の預金残高の範囲内で引き落とし可能な通常のキャッシュカードおよびある設定額の範囲内で金額を借入れできる借入機能を一体化した借入機能付キャッシュカードを含む。
【００１３】
この構成によると、遊技店でのデビットカードを用いた販売機でのデビット決済が、デビットセンタ処理装置（デビットカードを発行した金融機関とは異なる第三者の装置）において、前記第１の利用制限情報により制限されるとともに、金融機関に対応して前記第２の利用制限情報により制限されるので、遊技店における借入機能付キャッシュカードを用いたデビット決済により遊技客が遊技にのめり込むことを効果的に防止することができるとともに、デビット取引の信頼性を高めることが可能になる。
【００１４】
また、請求項２の発明は、請求項１の発明において、前記販売機は、前記遊技店で利用する遊技媒体の貸し出しに用いる記録媒体を前記デビット決済により発行するデビット記録媒体発行機であり、前記デビット端末は、前記デビット記録媒体発行機内に設けられる。
【００１５】
パチンコ店等の遊技店において、デビット取引の対象となる販売機は、通常の商品を販売する販売機と、遊技店で利用する遊技媒体（パチンコ玉、メダル等）の貸し出しに用いる記録媒体（プリペイドカード等）を発行する記録媒体発行機（プリペイドカード発行機等）がある。請求項２の発明においては、請求項１のデビット端末が、記録媒体をデビット決済により発行するデビット記録媒体発行機に設けられる（デビット端末と記録媒体発行機とが一体に構成される）。
【００１６】
また、請求項３の発明は、請求項１の発明において、前記第１の利用制限情報は、前記デビット端末が前記デビット記録媒体発行機内に設けられた場合とその他の場合とで異なる。
【００１７】
前記デビット記録媒体販売機は、遊技媒体の貸し出し専用に用いられる。そこで、請求項３の発明は、前記第１の利用制限情報を、例えば、前記デビット記録媒体販売機におけるデビット決済の方を他の販売機におけるデビット決済よりも厳しくなるように異ならせることで、借入機能付キャッシュカードを用いたデビット決済により記録媒体を購入することによる遊技客の遊技へののめり込みを効果的に防止している。
【００１８】
また、請求項４の発明は、請求項１乃至３のいずれかの発明において、前記第１の利用制限情報は、所定期間あたりの上限金額または上限回数、１回の販売当たりの上限金額または下限金額のうちの少なくとも１つを設定する設定項目を含む。
【００１９】
前記第１の利用制限情報によるデビットカードに対応するデビット決済の制限は、前記販売機での所定期間あたりの上限金額または上限回数、１回の販売当たりの上限金額または下限金額のうちの少なくとも１つにより行われる。
【００２０】
また、請求項５の発明は、請求項１または２の発明において、前記第２の利用制限情報は、前記デビット決済が利用不可な金融機関を設定し、前記デビット決済制限手段は、前記特定手段により特定された金融機関が前記第２の設定手段に設定された金融機関と一致する場合、前記デビット決済を拒否し、一致しない場合、前記特定手段により特定された販売機に対応して前記第１の利用制限情報により前記デビット決済を制限する。
【００２１】
また、請求項６の発明は、請求項１または２の発明において、前記第２の利用制限情報は、前記デビット決済が利用可能な金融機関を設定し、前記デビット決済制限手段は、前記特定手段により特定された金融機関が前記第２の設定手段に設定された金融機関と一致しない場合、前記デビット決済を拒否し、一致する場合、前記特定手段により特定された販売機に対応して前記第１の利用制限情報により前記デビット決済を制限する。
【００２２】
前記第２の利用制限情報は、金融機関に対応してデビット決済を制限する。ここで、前記第２の利用制限情報としては、デビット決済が利用不可な金融機関若しくは利用可能な金融機関のいずれを設定してもよい。
【００２３】
そこで、請求項５の発明においては、前記第２の利用制限情報によりデビット決済が利用不可な金融機関を設定し、また、請求項６の発明においては、前記第２の利用制限情報によりデビット決済が利用可能な金融機関を設定し、特定手段により特定された金融機関がデビット決済が利用不可の場合は、この金融機機関を利用したデビット決済を拒否するが、利用可の場合は、特定手段により特定された販売機に対応して前記第１の利用制限情報により前記デビット決済を制限する。
【００２４】
また、請求項７の発明は、請求項１乃至６のいずれかの発明において、前記デビット決済制限手段は、前記第２の利用制限情報により前記デビット決済を制限した後、前記第１の制限情報により前記デビット決済を制限する。
【００２５】
また、請求項８の発明は、請求項１乃至６のいずれかの発明において、前記デビット決済制限手段は、前記第１の利用制限情報により前記デビット決済を制限した後、前記第２の利用制限情報により前記デビット決済を制限する。
【００２６】
前記第１の利用制限情報および前記第２の利用制限情報によるデビット決済の制限は、どちらを先に行ってもよい。そこで、請求項７の発明においては、第２の利用制限情報によるデビット決済の制限を先に行い、その後、第１の利用制限情報によるデビット決済の制限を行う。また、請求項８の発明においては、第１の利用制限情報によるデビット決済の制限を先に行い、その後、第２の利用制限情報によるデビット決済の制限を行う。
【００２７】
また、請求項９の発明は、請求項１乃至９のいずれかの発明において、前記デビットセンタ処理装置は、前記デビット決済が前記第２の利用制限情報により制限された場合は、その旨を前記デビット端末に通知する通知手段を具備し、前記デビット端末は、前記通知手段による通知に基づき前記デビット決済が前記デビットセンタ処理装置で制限された理由を報知する報知手段を具備する。
【００２８】
前記第２の利用制限情報によるデビット決済の制限は、金融機関に対応してデビットセンタ処理装置で行われる。この場合、遊技店のデビット端末を用いてデビット決済を行う遊技客にとっては、何が理由でデビット決済が制限されたかが分かりにくいため、遊技客は混乱し、金融機関への問合せ等も発生する。そこで、請求項９の発明においては、デビットセンタ処理装置で前記第２の利用制限情報によりデビット決済が制限された場合には、その旨をデビット端末に通知し、デビット端末では、デビット決済がデビットセンタ処理装置で制限された理由を報知する。
【００２９】
また、請求項１０の発明は、請求項９の発明において、前記デビット端末は、前記報知手段により前記デビット決済が不可であると報知された場合に、他のデビットカードによる再デビット決済を前記デビットセンタ処理装置に対して要求する再デビット決済要求手段を具備する。
【００３０】
請求項９の発明において、デビットセンタ処理装置で前記第２の利用制限情報によりデビット決済が制限された場合は、デビット端末でその理由が報知されるので、遊技客は、例えば、デビット決済に用いたデビットカードがこのデビットカードによるデビット決済を許可していないという理由で、デビット決済が制限されたことを知ることができる。
【００３１】
この場合は、他のデビットカード（例えば、借入機能付でない通常のキャッシュカード）若しくは他の金融機関のデビットカードを用いたデビット決済を行うことができる。
【００３２】
そこで、請求項１０の発明においては、デビット端末でデビット決済が不可であると報知された場合に、他のデビットカードによる再デビット決済をデビットセンタ処理装置に対して要求することができる。この場合、他のデビットカードの再投入でデビット処理を最初からやり直さなくてよい。
【００３３】
また、請求項１１の発明は、請求項１乃至１０のいずれかの発明において、前記デビット端末は、前記デビット決済を利用不可な金融機関を記憶する記憶手段を具備し、前記デビット決済に係わる金融機関が前記記憶手段に記憶されている金融機関と一致する場合は、前記デビットセンタ処理装置に対する前記決済要求の送信を禁止する。
【００３４】
また、請求項１２の発明は、請求項１乃至１０のいずれかの発明において、前記デビット端末は、前記デビット決済を利用可能な金融機関を記憶する記憶手段を具備し、前記デビット決済に係わる金融機関が前記記憶手段に記憶されている金融機関と一致しない場合は、前記デビットセンタ処理装置に対する前記決済要求の送信を禁止する。
【００３５】
上記請求項１１または請求項１２の発明によれば、デビット決済に係わる金融機関がデビット決済を利用可能かがデビット端末において判別され、利用不可の場合は、デビットセンタ処理装置に対する決済要求の送信が禁止されるので、不要な決済要求の送信がなくなり、決済要求の送信に係わるトラフィックを減少させることができる。
【００３６】
また、請求項１３の発明は、請求項１乃至１２のいずれかの発明において、前記デビットセンタ処理装置は、
前記デビット決済が不可となった回数および金額のいずれかを含む履歴を集計する集計手段を具備する。
【００３７】
また、請求項１４の発明は、請求項１３の発明において、前記集計手段は、前記デビットセンタ処理装置で不可となったデビット決済が行われた場合の予測手数料を前記金融機関毎、前記デビット端末毎、若しくは遊技店毎、若しくは地域毎に集計する。
【００３８】
請求項１３によれば、前記集計手段の集計により、前記デビット決済が不可となった回数および金額のいずれかを含む履歴を知ることができ、また、請求項１４の発明においては、前記デビットセンタ処理装置で不可となったデビット決済が行われた場合の予測手数料を前記金融機関毎、前記デビット端末毎、若しくは遊技店毎、若しくは地域毎に知ることができので、この集計結果を金融機関に通知することにより金融機関では、遊技店におけるデビット取引の拡大等を再検討させることができ、また、この集計結果を遊技店に通知することにより、遊技店では、デビット導入等を再検討させることができる。
【００３９】
また、請求項１５の発明のデビットカードシステムは、遊技店に設けられ、販売機でのデビットカードを用いたデビット処理を制御するデビット端末と、前記デビット端末と公衆回線網を介して接続され、前記デビット端末から送信された決済要求に基づき前記デビットカードを発行した金融機関の該当する口座から前記販売機での前記デビット処理に係わる販売額を引き落とすデビット決済を制御するデビットセンタ処理装置と、前記販売機によるデビット決済を制限する第１の利用制限情報を前記デビットカードに対応して設定する第１の設定手段と、前記販売機によるデビット決済を制限する第２の利用制限情報を前記金融機関に対応して設定する第２の設定手段と、前記決済要求に基づき前記デビット決済に係わる販売機および金融機関を特定する特定手段と、前記特定手段により特定された販売機によるデビット決済を、前記第１の利用制限情報により制限するとともに、前記特定手段により特定された金融機関に対応して前記第２の利用制限情報により制限するデビット決済制限手段とを具備する。
【００４０】
また、請求項１６の発明のデビットカードシステムは、遊技媒体の貸し出しに用いる記録媒体を発行する記録媒体発行手段と前記記録媒体発行手段でのデビットカードを用いたデビット処理を制御するデビット処理手段とを有するデビット記録媒体発行機と、前記デビット記録媒体発行機と公衆回線網を介して接続され、前記デビット処理手段から送信された決済要求に基づき前記デビットカードを発行した金融機関の該当する口座から前記デビット記録媒体発行機での前記デビット処理に係わる前記遊技媒体の発行額を引き落とすデビット決済を制御するデビットセンタ処理装置と、前記デビット記録媒体発行機によるデビット決済を制限する第１の利用制限情報を前記デビットカードに対応して設定する第１の設定手段と、前記デビット記録媒体発行機によるデビット決済を制限する第２の利用制限情報を前記金融機関に対応して設定する第２の設定手段と、前記決済要求に基づき前記デビット決済に係わるデビット記録媒体発行機および金融機関を特定する特定手段と、前記特定手段により特定されたデビット記録媒体発行機によるデビット決済を、前記第１の利用制限情報により制限するとともに、前記特定手段により特定された金融機関に対応して前記第２の利用制限情報により制限するデビット決済制限手段とを具備する。
【００４１】
請求項１５および請求項１６の発明によれば、デビットカードを用いた遊技店でのデビット決済が、販売機またはデビット記録媒体発行機に対応して前記第１の利用制限情報により制限されるとともに、デビットカードを発行した銀行等の金融機関に対応して前記第２の利用制限情報により制限されるので、遊技店における借入機能付キャッシュカードを用いたデビット決済により遊技客が遊技にのめり込むことを効果的に防止することができるとともに、デビット取引の信頼性を高めることが可能になる。
【００４２】
ここで、請求項１５および請求項１６の発明においては、「第１の設定手段」、「第２の設定手段」、「特定手段」、「デビット決済制限手段」は、システム内のどこに設けてもよい。例えば、デビット端末、またはデビット記録媒体発行機、またはデビットセンタ処理装置等に設けてもよく、また、遊技店の管理装置（ターミナルコントローラ）に設けてもよい。
【００４３】
また、請求項１７の発明は、遊技店に設置された販売機でのデビットカードを用いたデビット処理を制御するデビット端末と公衆回線網を介して接続され、前記デビット端末から送信された決済要求に基づき前記デビットカードを発行した金融機関の該当する口座から前記販売機での前記デビット処理に係わる販売額を引き落とすデビット決済を制御するデビットセンタ処理装置であって、前記販売機によるデビット決済を制限する第１の利用制限情報を前記デビットカードに対応して設定する第１の設定手段と、前記販売機によるデビット決済を制限する第２の利用制限情報を前記金融機関に対応して設定する第２の設定手段と、前記決済要求に基づき前記デビット決済に係わる販売機および金融機関を特定する特定手段と、前記特定手段により特定された販売機によるデビット決済を、前記第１の利用制限情報により制限するとともに、前記特定手段により特定された金融機関に対応して前記第２の利用制限情報により制限するデビット決済制限手段とを具備する。
【００４４】
また、請求項１８の発明は、遊技媒体の貸し出しに用いる記録媒体を発行する記録媒体発行手段と前記記録媒体発行手段でのデビットカードを用いたデビット処理を制御するデビット処理手段とを有するデビット記録媒体発行機と公衆回線網を介して接続され、前記デビット処理手段から送信された決済要求に基づき前記デビットカードを発行した金融機関の該当する口座から前記デビット記録媒体発行機での前記デビット処理に係わる前記遊技媒体の発行額を引き落とすデビット決済を制御するデビットセンタ処理装置であって、前記デビット記録媒体発行機によるデビット決済を制限する第１の利用制限情報を前記デビットカードに対応して設定する第１の設定手段と、前記デビット記録媒体発行機によるデビット決済を制限する第２の利用制限情報を前記金融機関に対応して設定する第２の設定手段と、前記決済要求に基づき前記デビット決済に係わるデビット記録媒体発行機および金融機関を特定する特定手段と、前記特定手段により特定されたデビット記録媒体発行機によるデビット決済を、前記第１の利用制限情報により制限するとともに、前記特定手段により特定された金融機関に対応して前記第２の利用制限情報により制限するデビット決済制限手段とを具備する。
【００４５】
請求項１７および請求項１８の発明によれば、デビットカードを用いた遊技店でのデビット決済が、デビットセンタ処理装置において、販売機またはデビット記録媒体発行機に対応して前記第１の利用制限情報により制限されるとともに、デビットカードを発行した銀行等の金融機関に対応して前記第２の利用制限情報により制限されるので、遊技店における借入機能付キャッシュカードを用いたデビット決済により遊技客が遊技にのめり込むことを効果的に防止することができるとともに、デビット取引の信頼性を高めることが可能になる。
【００４６】
また、請求項１９の発明は、遊技店に設けられ、該遊技店に設置された販売機でのデビットカードを用いたデビット処理を制御するデビット端末であって、前記販売機での前記デビットカードを用いた販売に際して、前記デビットカードを発行した金融機関の該当する口座から前記販売機での前記デビット処理に係わる販売額を引き落とすデビット決済を制御するデビットセンタ処理装置にデビット決済要求を送信する決済要求送信手段と、前記デビット決済を利用不可な金融機関を記憶する記憶手段と、前記デビット決済に係わる金融機関が前記記憶手段に記憶されている金融機関と一致する場合は、前記デビットセンタ処理装置に対する前記決済要求送信手段による前記決済要求の送信を禁止する禁止手段とを具備する。
【００４７】
また、請求項２０の発明は、遊技店に設けられ、該遊技店に設置された販売機でのデビットカードを用いたデビット処理を制御するデビット端末であって、前記販売機での前記デビットカードを用いた販売に際して、前記デビットカードを発行した金融機関の該当する口座から前記販売機での前記デビット処理に係わる販売額を引き落とすデビット決済を制御するデビットセンタ処理装置にデビット決済要求を送信する決済要求送信手段と、前記デビット決済を利用可能な金融機関を記憶する記憶手段と、前記デビット決済に係わる金融機関が前記記憶手段に記憶されている金融機関と一致しない場合は、前記デビットセンタ処理装置に対する前記決済要求送信手段による前記決済要求の送信を禁止する禁止手段とを具備する。
【００４８】
また、請求項２１の発明は、遊技媒体の貸し出しに用いる記録媒体を発行する記録媒体発行手段と前記記録媒体発行手段でのデビットカードを用いたデビット処理を制御するデビット処理手段とを有するデビット記録媒体発行機であって、前記デビットカードを用いた前記記録媒体の発行に際して、前記デビットカードを発行した金融機関の該当する口座から前記デビット処理に係わる発行額を引き落とすデビット決済を制御するデビットセンタ処理装置にデビット決済要求を送信する決済要求送信手段と、前記デビット決済を利用不可な金融機関を記憶する記憶手段と、前記デビット決済に係わる金融機関が前記記憶手段に記憶されている金融機関と一致する場合は、前記デビットセンタ処理装置に対する前記決済要求送信手段による前記決済要求の送信を禁止する禁止手段とを具備する。
【００４９】
また、請求項２２の発明によれば、遊技媒体の貸し出しに用いる記録媒体を発行する記録媒体発行手段と前記記録媒体発行手段でのデビットカードを用いたデビット処理を制御するデビット処理手段とを有するデビット記録媒体発行機であって、前記デビットカードを用いた前記記録媒体の発行に際して、前記デビットカードを発行した金融機関の該当する口座から前記デビット処理に係わる発行額を引き落とすデビット決済を制御するデビットセンタ処理装置にデビット決済要求を送信する決済要求送信手段と、前記デビット決済を利用可能な金融機関を記憶する記憶手段と、前記デビット決済に係わる金融機関が前記記憶手段に記憶されている金融機関と一致しない場合は、前記デビットセンタ処理装置に対する前記決済要求送信手段による前記決済要求の送信を禁止する禁止手段とを具備する。
【００５０】
請求項１９乃至請求項２２の発明によれば、デビット決済に係わる金融機関がデビット決済を利用可能か否かがデビット端末若しくはデビット記録媒体発行機において判別され、利用不可の場合は、デビットセンタ処理装置に対する決済要求の送信が禁止されるので、不要な決済要求の送信がなくなり、決済要求の送信に係わるトラフィックを減少させることができる。
【発明の効果】
【００５１】
本発明によれば、遊技店における借入機能付キャッシュカード等を用いたデビット決済により遊技客が遊技にのめり込むことを効果的に防止することができるとともに、デビット取引の信頼性を高めることが可能になる。
【発明を実施するための最良の形態】
【００５２】
以下、本発明に係る一実施の形態を添付図面を参照して詳細に説明する。
【００５３】
図１は、本発明のデビットカードシステムをパチンコ店などの遊技場に設置される遊技システムに適用した場合の全体構成を示すブロック図である。
【００５４】
図１において、このシステムの核であるパチンコ店３〔３−１，３−２，〜，３−ｎ（ｎ：任意の整数）〕内には、まず、会員の遊技情報を管理する会員管理用ターミナルコントローラ（Ｔ／Ｃ）１０と、プリペイドカード等のカード情報を管理するカード管理用ターミナルコントローラ（Ｔ／Ｃ）２０が設置されている。
【００５５】
会員管理用Ｔ／Ｃ１０は、後述する会員管理端末（不図示）等とローカルエリアネットワーク（ＬＡＮ）を介して接続され、カード管理用Ｔ／Ｃ２０は、島３０の一構成要素である複数の島コントローラ（Ｓ／Ｃ）４０と上記ＬＡＮとは別のＬＡＮ２５介してにより接続されている。
【００５６】
図２は、図１に示した会員管理用Ｔ／Ｃ１０の詳細構成を示すブロック図である。
【００５７】
図２において、ワークステーション１１０は、このワークステーション１１０の全体動作を統括制御する制御部１１０−１、会員カードの会員コードと関連付けて遊技情報と会員情報をレコード形式で記憶するデータベース１１１及び後述する利用制限制御のためのデータベース１１２を格納するメモリ１１０−２、このワークステーション１１０内の各種管理情報を表示する表示部１１０−３、各種情報等の入力およびこのワークステーション１１０内の管理情報の印刷に使用される入出力部１１０−４を具備して構成される。
【００５８】
パーソナルコンピュータ１２０は、ＬＡＮ１５を介して、ワークステーション１１０に接続され、店員は、このパーソナルコンピュータ１２０を用いて、ワークステーション１１０への新規口座の登録やデータの統計処理等を行う。
【００５９】
プリンタ１３０は、パーソナルコンピュータ１２０に接続され、例えば、店員がワークステーション１１０に記憶された台帳データに基づいて、ダイレクトメールを発行する場合等に使用される。
【００６０】
会員カード発行機１４０は、パーソナルコンピュータ１２０に接続され、このパーソナルコンピュータ１２０によって新規口座の登録が行われると、該登録された口座の会員カード（不図示）が発行される。
【００６１】
図３は、図２に示した会員管理用Ｔ／Ｃ１０のワークステーション１１０内のメモリ１１０−２に格納されるデータベース１１１の構成例を示す表図である。
【００６２】
このデータベース１１１は、会員カード販売機１４０にて販売された会員カードの会員コードと関連付けて遊技情報と会員情報をレコード形式で記憶するものであり、この例では、「会員コード」に対応して、「購入度数」、「暗証番号」、「出玉数」、「入玉数」、「貯玉数」、「有効フラグ」が記憶されている。
【００６３】
なお、有効フラグは、会員カードが盗用された場合には“０”をセットして使用不可状態にすることができる。復旧は、店員が会員からカードが利用できない旨の申告を受けて、本人を確認した上で、パーソナルコンピュータ１２０を操作して行なう。
【００６４】
次に、カード管理用Ｔ／Ｃ２０に接続される各島３０内構成要素について説明する。
【００６５】
図１におけるパチンコ店３内の各島３０は、島コントローラ（Ｓ／Ｃ）４０、この島コントローラ（Ｓ／Ｃ）４０により制御される複数の遊技ユニット５０、プリペイドカード等のカードの販売を行うカード発行機６０、これらカードの精算（カードに記憶された有価価値の残価に応じた現金等の払い出し）を行うカード精算機７０、自動販売機７５等により構成されている。
【００６６】
カード発行機６０は、通常、各島３０毎に１台程度設けられ、カード発行時に当該カードに対してＩＤ番号（磁気ストライプには媒体ＩＤ、表面には目視可能な表示ＩＤ）を付与する。
【００６７】
すなわち、カード発行機６０では、例えば、紙幣の投入後、遊技客により金額が選択指定されると、この選択指定された金額分の金額データ（初期度数）と共に発行店、日付、媒体ＩＤ等の情報をカードの磁気ストライプ部に磁気記録し、かつカード表面に金額と表示ｌＤを印字したプリペイドカード６１を発行する。
【００６８】
なお、磁気ストライプ部に記録された媒体ＩＤは暗号化されており、カード表面に印字された表示ＩＤとは異なっているのがセキュリティの保護の為には有益である。
【００６９】
媒体ＩＤについては、発行時にＩＤが付与されるものであっても良いし、カード発行機６０や図示しないカード更新機等に装填される前から予めＩＤが付与されているものであっても良い。
【００７０】
このプリペイドカード６１の発行に先立ち、カード発行機６０は、カード管理用Ｔ／Ｃ２０ヘカード発行データの登録を要求すると共に、発行の可否を問い合わせ、発行可の時のみプリペイドカード６１を発行する。
【００７１】
また、パチンコ店３内の各島３０において、遊技ユニット５０は、遊技機５１０と、隣接する遊技機５１０との間の台間に設けられるカード処理ユニット５２０とにより構成される。
【００７２】
カード処理ユニット５２０は、カード挿入／排出口及び貸し出し要求手段を少なくとも有し、遊技客によりカード挿入／排出口に例えばプリペイドカード６１が挿入されると、カード管理用Ｔ／Ｃ２０に問い合わせてその有価価値データを取得し、遊技客による遊技機５１０への遊技媒体の貸し出し要求に基づき、当該有価価値データ（残度数）の範囲内で、遊技媒体を貸し出す処理を行う。遊技客は、この遊技媒体を用いてパチンコ等の遊技を行うことができる。
【００７３】
なお、本システムにおいて、遊技機５１０の種別としては、ＣＲパチンコ台の他、パチスロ機やパチンコ台等があり、カード処理ユニット５２０としては、上記種別に対応して、ＣＲカードユニット、カードメダル貸機、カード玉貸機等が設けられる。
【００７４】
また、各島３０において、自動販売機７５は、飲料やタバコ等の物品を販売する販売機である。
【００７５】
上述した各島３０の構成要素は、通信路で接続され（但し、カード管理用Ｔ／Ｃ２０と各Ｓ／Ｃ４０間はＬＡＮ２５で接続される）、相互にあるいはカード管理用Ｔ／Ｃ２０との間でデータ交換を行うことができるようになっている。
【００７６】
カード管理用Ｔ／Ｃ２０は、各島３０の各構成要素から収集したデータを基にカード管理用のデータベースを構築すると共に、これらデータを逐次イベントがある毎に更新することで、カード発行機６０にて発行されたカードに関する種々の情報（例えば、発行日、当初の購入金額、残存する有価データ、カード発行機６０での売上や遊技ユニット５０で貸し玉と交換した後の残額等に関するデータ）をそのカードＩＤを基に管理している。
【００７７】
更に、カード管理用Ｔ／Ｃ２０は、パチンコ店外のカード会社センタ１の経営コンピュータと公衆回線網２により接続されており、この経営コンピュータを用いてカード管理用Ｔ／Ｃ２０内のデータを管理できるようになっている。
【００７８】
以上に述べた構成のうち、会員管理用Ｔ／Ｃ１０を除く部分全体は、パチンコ店３などの遊技場向けに普及しているプリペイドカードシステムと呼べるものである。
【００７９】
本発明のシステムでは、各島３０の構成要素として、更に、デビット端末８０が設けられる。
【００８０】
デビット端末８０としては、図１に示す如く、カード発行機６０に隣接して設置され、かつ、通信接続されるものと、自動販売機７５に隣接して設置され、かつ、通信接続されるものとがある。
【００８１】
また、これらデビット端末８０は、パチンコ店３の店外において、公衆回線網４を介して情報処理センタ（デビットセンタ処理装置）５に接続されている。
【００８２】
更に、情報処理センタ５は、カード発行銀行７−１、決済銀行７−２、加盟店銀行７−３のそれぞれのコンピュータとＣＡＦＩＳネットワーク６（クリアリングセンタ６ａを含む）を介して接続されている。
【００８３】
このＣＡＦＩＳ（Ｃｒｅｄｉｔ  ａｎｄ  Ｆｉｎａｎｃｅ  Ｉｎｆｏｒｍａｔｉｏｎ  Ｓｙｓｔｅｍ）ネットワーク６を核とし、更に、情報処理センタ５からパチンコ店３内に設置されたデビット端末８０へとつながる部分全体は、デビットカードシステムと呼べるものである。
【００８４】
このことから、図１に示す本発明の構成は、各パチンコ店３の店内に、上記プリペイドカードシステムの末端のカード発行機６０または自動販売機７５を、デビット端末８０に接続して収容したデビットカードシステムを構築したものである。
【００８５】
本発明のデビットカードシステムにおいて、カード発行機６０に接続されるデビット端末８０は、該カード発行機６０と協同し、該カード発行機６０からのプリペイドカード６１の発行に関するデビットカードによる決済処理（デビット処理）機能を有する。
【００８６】
また、自動販売機７５に接続されるデビット端末８０は、該自動販売機７５と協同し、該自動販売機７５での物品の販売に関するデビットカードによる決済処理（デビット処理）機能を有する。
【００８７】
これらカード発行機６０、または、自動販売機７５に接続されるデビット端末８０では、デビットカード８１として、指定口座に対する預金、または、該指定口座から預金残高の範囲内で引き落とし可能な通常のキャッシュカードの他、該キャッシュカード機能に、指定口座の預金残高がなくなっても金融機関から借入する形で所定の設定額範囲内の金額を引き落としできる借入機能を一体化させた借入機能付キャッシュカードの受け入れも可能である。
【００８８】
そのうえで、本発明のシステムでは、上記デビットカードを用いた、プリペイドカード６１、または物品の販売に係わるデビット決済について利用制限を実施する。
【００８９】
本発明のシステムにおけるデビット決済の制限の一例としては、販売機（カード発行機６０、または自動販売機７５）に対応して該販売機の識別情報（端末ＩＤ）に対応する第１の利用制限情報を登録して設定する第１の設定手段（後述の利用制限設定テーブル５７１１に相当）と、金融機関情報に対応する第２の利用制限情報を登録して設定する第２の設定手段（後述の金融機関利用制限設定テーブル５７１２に相当）とを設け、販売機からの決済要求情報からデビット決済に用いる該販売機の端末ＩＤおよび金融機関情報を特定し、この特定された金融機関情報が第２の設定手段に登録されている場合は、該登録された金融機関情報に対応して第２の設定手段に設定されている第２の利用制限情報でデビット決済を制限し、上記特定された金融機関情報が第２の設定手段に登録されていない場合は、上記特定された販売機の端末ＩＤに対応して第１の設定手段に設定されている第１の利用制限情報でデビット決済を制限するように制御する。
【００９０】
このデビット決済の制限制御を行う部分としては、以下に述べるように、デビットカードシステム内の情報処理センタ５（デビットカードを発行した金融機関とは異なる第三者装置）とすることができるし（実施例１参照）、デビット端末８０（実施例２参照）、若しくは会員管理システム（会員管理用Ｔ／Ｃ２０）とすることもできる。
【００９１】
以下、本発明における具体的実施例について説明する。
【実施例１】
【００９２】
図４は、実施例１に係わるデビット端末８０、カード発行機６０、及び情報処理センタ５の構成及び接続態様を示す概念図である。
【００９３】
図４において、カード発行機６０に接続されるデビット端末８０には、外観上、取引金額や入力操作ガイダンス等の各種情報を表示する表示部８０５、テンキー等のキーを備え、デビットカード８１の暗証番号や取引金額等を入力するキー操作部８０６、デビットカード８１を挿入するカード挿入／排出口８０７が備わる。
【００９４】
カード発行機６０には、外観上、プリペイドカード６１の発行金額を選択する選択ボタン６０５（この例では、１０００円、２０００円、３０００円、５０００円のプリペイドカードの発行選択ができる構成となっている）、選択ボタン６０５にて選択された発行金額に応じたプリペイドカード６１を発行（排出する）カード発行口６０６が備わる。
【００９５】
なお、このカード発行機６０の外観構成は、本実施例の機能動作に最小限必要な要素を想定した場合の構成例であり、もし、カード発行機６０を現金によるプリペイドカード６１の発行あるいは両替も可能なものにしようとするならば、他に、現金（紙幣）を投入する紙幣投入口、投入された現金の金額等を表示する金額表示部、両替を指示する選択ボタン、両替金（紙幣）を排出する紙幣排出口等を併設する必要がある。
【００９６】
図４は、図１におけるカード発行機６０とこれに接続されるデビット端末８０に主眼をおいた接続態様を示すものであり、図１に示す実際のシステム構成において、図４に示すデビット端末８０は、他のカード発行機６０に接続されるデビット端末８０、及び１または複数の自動販売機７５にそれぞれ接続されるデビット端末８０（図５参照）と共に、公衆回線網４を介して情報処理センタ５に接続される。
【００９７】
図５は、図１に示すシステム構成における自動販売機７５と、これに接続されるデビット端末８０、及び情報処理センタ５間の接続態様を示す概念図である。
【００９８】
図５において、デビット端末８０は、１または複数のカード発行機６０にそれぞれ接続されるデビット端末（図４参照）８０と共に、公衆回線網４を介して情報処理センタ５に接続される。
【００９９】
図５に示すように、自動販売機７５に接続されるデビット端末８０の外観上の構成は、カード発行機６０に接続されるデビット端末８０（図４参照）と同様である。
【０１００】
自動販売機７５には、外観上、販売対象の物品（物品見本７５１）にそれぞれ対応して設けられ、対応する物品見本７５１に相当する物品を選択する選択ボタン７５２（この例では、缶飲料Ａ，Ｂ，Ｃ，Ｄの中から所望の缶飲料を選択できる構成となっている）、選択ボタン７５２の押下時、接続されるデビット端末８０での該選択ボタン７５２に対応する物品の価格に相当する金額の決済処理完了後、該選択された物品を排出する物品排出口７５３が備わる。
【０１０１】
なお、図４においては、デビット端末８０がカード発行機６０に接続される場合を示したが、図４に示すデビット端末８０とカード発行機６０とを一体化して（デビット端末８０をカード発行機６０内に内蔵して）、図６に示すデビットカード発行機９０として構成してもよい。
【０１０２】
図６において、デビットカード発行機９０は、図４に示すデビット端末８０とカード発行機６０とを一体化したものであり、このデビットカード発行機９０には、外観上、取引金額や入力操作ガイダンス等の各種情報を表示する表示部８０５、テンキー等のキーを備え、デビットカード８１の暗証番号や取引金額等を入力するキー操作部８０６、デビットカード８１を挿入するカード挿入／排出口８０７、プリペイドカード６１の発行金額を選択する選択ボタン６０５、選択ボタン６０５にて選択された発行金額に応じたプリペイドカード６１を発行（排出する）カード発行口６０６が備わる。その他の構成は、図４に示した構成と同一である。
【０１０３】
図７は、本実施例に係わるデビット端末８０の機能構成を示すブロック図である。
【０１０４】
図７に示すように、デビット端末８０は、図４及び図５で説明した表示部８０５、キー操作部８０６の他、情報処理センタ５との通信制御を行う通信制御部８０１、隣接設置されるカード発行機６０または自動販売機７５との通信制御を行う通信制御部８０２、端末全体の制御を行う制御部８０３、制御に必要な各種情報等を記憶するメモリ部８０４、カード挿入／排出口８０７から挿入されたデビットカード８１からカード情報を読取るカードリーダ部８０８、プリペイドカード６１や物品の販売レシート等の各種情報を印刷出力するプリンタ部８０９を備えて構成される。
【０１０５】
一方、情報処理センタ５は、図４に示すように、通信制御部５５ａ，５５ｂ、主制御部５６及びメモリ部５７を備えて構成される。
【０１０６】
主制御部５６には、決済処理制御部５６１、利用制限判定部５６２、データベース管理部５６３が備わり、メモリ部５７内には、デビットカード８１の利用制限範囲の条件データや、これらデビットカード８１の利用実績に関する各種データを管理する利用制限データベース５７１が設けられる。
【０１０７】
図８は、図６に示したデビットカード発行機９０の機能構成を示すブロック図である。
【０１０８】
図８に示すように、デビットカード発行機９０は、デビット処理を行うデビット処理部８００、プリペイドカードの発行処理を行うプリペイドカード処理部６００、カード管理用（Ｔ／Ｃ）２０との通信制御を行う通信制御部６０１を具備し、デビット処理部８００は、図６に示した表示部８０５、キー操作部８０６の他、情報処理センタ５との通信制御を行う通信制御部８０１、デビット処理部全体の制御を行う制御部８０３、制御に必要な各種情報等を記憶するメモリ部８０４、カード挿入／排出口８０７から挿入されたデビットカード８１からカード情報を読取るカードリーダ部８０８、プリペイドカード６１の販売レシート等の各種情報を印刷出力するプリンタ部８０９を備えて構成される。
【０１０９】
図９、図１０及び図１１は、それぞれ、利用制限データベース５７１に設けられる、利用制限設定テーブル５７１１、金融機関利用制限設定テーブル５７１２及び利用実績テーブル５７１３のデータ登録設定内容を示す表図である。
【０１１０】
図９において、利用制限設定テーブル５７１１には、例えば、各パチンコ店３を識別するＩＤ（店舗ＩＤ）別に、端末ＩＤに対応して、金融機関利用制限チェックフラグ、一定期間単位（この例では１日単位）の利用上限金額、同じく利用上限回数、１回の利用あたりの上限金額及び下限金額等の利用制限条件データが予め設定されている。
【０１１１】
ここで、端末ＩＤは、デビットカード８１を受け入れてプリペイドカード６１や物品の販売に係わる決済処理を行う各デビット端末８０に接続されるカード発行機６０や、自動販売機７５、デビットカード発行機９０を識別する情報である。
【０１１２】
金融機関利用制限チェックフラグは、デビット端末８０またはデビットカード発行機９０が受け入れたデビットカードから読取った金融機関コードについて、借入機能付キャッシュカード利用時の利用制限の有無をチェックするのかしないのか（金融機関利用制限設定テーブル５７１２に設定される利用制限情報での利用制限を適用するか否か）を指示する情報であり、該チェックを行う場合は“１”が、該チェックを行わない場合は、“０（零）”がそれぞれ登録、設定される。
【０１１３】
ここで、店舗内のグループ毎に利用制限を行う場合には、当該利用制限設定テーブル５７１１において、例えば、各端末の端末ＩＤに変えて、これら各端末が属するグループのグループＩＤを設定すれば良い。
【０１１４】
図１０において、金融機関利用制限設定テーブル５７１２には、設定項目として、業態コード、金融機関コード、利用制限チェックフラグ、一定期間単位（この例では１日単位）の利用上限金額、同じく利用上限回数、１回の利用あたりの上限金額及び下限金額が設けられる。
【０１１５】
これら設定項目のうち、金融機関コードは該金融機関を識別する情報であり、業態コードは当該金融機関の業態を識別する情報である。
【０１１６】
利用制限チェックフラグは、対応する金融機関コードを有するデビットカード（借入機能付キャッシュカード）についてその使用を不可とする条件を含む利用制限条件のチェックを行うのか行わないのかを指示する（該金融機関コードに対応して金融機関利用制限設定テーブル５７１２に設定される各項目の利用制限情報による利用制限を行うか否かを指示する）情報であり、該チェックを行う場合は“１”が、該チェックを行わない場合は、“０（零）”がそれぞれ設定される。
【０１１７】
また、残りの各項目（一定期間単位の利用上限金額、同じく利用上限回数、１回の利用あたりの上限金額及び下限金額）は、対応する金融機関コードを有するデビットカード（借入機能付キャッシュカード）についての具体的な利用制限条件を示す情報である。
【０１１８】
この金融機関利用制限設定テーブル５７１２によれば、図１０に示すように、業態コード＝９，８に相当する業態（借入機能付キャッシュカードを提供する事業形態）の金融機関を予め選出し、該金融機関に対応する金融機関コード別に、当該金融機関から発行された借入機能付キャッシュカードに対してどのような利用制限範囲で利用制限を行うのか、または、行わないのかを設定することができる。
【０１１９】
特に、図８の例では、例えば、金融機関コード“１０００５”を有する金融機関から発行される借入機能付キャッシュカードについては、利用制限チェックフラグが、利用制限の実施に当たる値（＝“１”）を示すも、利用制限条件として利用不可（上限金額＝“０”円）を示す旨の設定がなされている。
【０１２０】
また、金融機関コード“１００１２”を有する金融機関から発行される借入機能付キャッシュカードについては、１日単位の利用上限金額（＝２５，０００円）、同、利用上限回数（＝５回）、１回の利用あたりの上限金額（＝１０，０００円）及び下限金額（＝２，５００円）の条件でデビット決済を制限する旨の設定がなされている。
【０１２１】
また、金融機関コード“１００２５”を有する金融機関から発行される借入機能付キャッシュカードについては、１日単位の利用上限金額（＝２５，０００円）、同、利用上限回数（＝５回）、１回の利用あたりの上限金額（＝１０，０００円）及び下限金額（＝２，５００円）の条件が設定されるも、当該条件での利用制限を行わない旨（利用制限チェックフラグ＝“０”）の設定がなされている。
【０１２２】
図１１において、利用実績テーブル５７１３には、各パチンコ店３の店舗ＩＤ毎に、現時点までの間に上記利用制限設定テーブル５７１１、あるいは金融機関利用制限設定テーブル５７１２に設定された利用制限条件をクリアし、かつ、決済処理が正常終了した取引（プリペイドカード６１の発行、あるいは、物品の販売）に利用されたデビットカード８１のカードＩＤに対応して、該カードＩＤを持つデビットカードによる今回の利用額、現時点までの累計利用回数、累計利用金額等の利用実績データが記憶されている。
【０１２３】
次に、上述したシステム構成において、デビット端末８０が、デビットカード８１を受け入れ、隣接設置されるカード発行機６０からプリペイドカード６１を発行する場合、及び、隣接設置される自動販売機７５から物品を販売する場合、デビットカード発行機９０がデビットカード８１を受け入れてプリペイドカード６１を発行する場合のデビット決済の利用制限動作について説明する。
【０１２４】
図１２は、遊技客がデビットカード８１を用いてプリペイドカード６１を購入する際のカード発行機６０、デビット端末８０及び情報処理センタ５間の処理動作を示すフローチャートである。なお、同フローチャート中の丸数字は、図４においてプリペイドカード６１の発行処理の流れを示す丸数字に対応したものである。
【０１２５】
図１２において、遊技客がカード発行機６０に接続されるデビット端末８０のカード挿入／排出口８０７にデビットカード８１を挿入すると（ステップＳ６１０）、該デビット端末８０は、カードリーダ部８０８によって、該挿入されたデビットカード８１からカード情報（金融機関コード、カードＩＤ等）を読み取るとともに、該遊技客に対して暗証番号の入力を要求する（ステップＳ６２０）。
【０１２６】
この要求を例えば表示部８０５での表示により確認した遊技客がデビット端末８０に設けられたキー操作部８０６から自己の暗証番号を入力すると（ステップＳ６１１）、デビット端末８０は、この暗証番号を保持すると共に、カード発行機６０に対して、カード発行操作可の旨を通知する（ステップＳ６２１）。
【０１２７】
これに対し、カード発行機６０は、デビット端末８０からの上記通知を受信すると、選択ボタン６０５を点灯状態に制御する（ステップＳ６３０）。
【０１２８】
選択ボタン６０５の点灯中、遊技客が、その点灯した選択ボタン６０５のいずれかを押下すると（ステップＳ６４０）、カード発行機６０は、この押下された選択ボタン６０５に対応する発行金額に相当する金額データをデビット端末８０に通知する（ステップＳ６３１）。
【０１２９】
一方、デビット端末８０は、カード発行機６０から上記金額データを受信すると、当該金額（決済要求金額）データの他、該カード発行機６０を設置する店舗の店舗ＩＤと、該カード発行機６０の端末ＩＤと、ステップＳ６２０で読取ったカード情報（金融機関コード、カードＩＤ）、及び同ステップＳ６２１で入力された暗証番号とを含む決済要求を情報処理センタ５に送出する（ステップＳ６２２）。
【０１３０】
情報処理センタ５では、デビット端末８０から送出された上記決済要求を通信制御部５５ａを介して受信すると、該決済要求に含まれる暗証番号が正常であることを条件に、該決済要求に含まれる店舗ＩＤ、端末ＩＤ、金融機関コード、カードＩＤ、決済要求金額に基づいて決済処理を行う（ステップＳ６５０）。
【０１３１】
この決済処理（詳細については図１５参照）において、情報処理センタ５は、決済要求に含まれる金融機関コードに対して使用不可設定がなされていること、決済要求に含まれるカードＩＤの利用実績が該当する利用制限設定テーブル５７１１または金融機関利用制限設定テーブル５７１２に設定されている利用制限条件の範囲外にあること、上記利用実績が上記利用制限範囲内にはあるが、残高の不足等により上記要求金額での決済処理が完了できなかったこと、上記要求金額での決済が完了したこと等について判別し、該判別した状態に対応する処理結果を決済要求元のデビット端末８０に通知する。
【０１３２】
一方、デビット端末８０は、上記ステップＳ６２２で決済要求を送出した後、該決済要求に対して情報処理センタ５から通知される上記処理結果を受信すると、該処理結果をカード発行機６０に通知し（ステップＳ６２３）、次いでデビットカード８１を遊技客に返却し（ステップＳ６２４）、処理を終える。
【０１３３】
これに対し、カード発行機６０では、デビット端末８０から上記処理結果を受信し、該受信した処理結果（決済結果）を基に決済が完了したか否かを判断する（ステップＳ６３２）。
【０１３４】
ここで、通知された処理結果が決済完了であれば（ステップＳ６３２ＹＥＳ）、カード発行機６０は、それ以前のステップＳ６４０で押下された選択ボタン６０５に対応する金額のプリペイドカード６１（当該金額相当度数の有価データが記憶されたカード）をカード発行口６０６から排出し（ステップＳ６３３）、その後、全ての選択ボタン６０５を消灯状態に制御し（ステップＳ６３４）、処理を終える。
【０１３５】
また、通知された処理結果が決済が完了していないことを示している場合（ステップＳ６３２ＮＯ）は、直ちに全ての選択ボタン６０５を消灯状態に制御し（ステップＳ６３４）、処理を終える。
【０１３６】
図１３は、遊技客がデビットカード８１を用いて物品を購入する際の自動販売機７５、デビット端末８０及び情報処理センタ５間の処理動作を示すフローチャートである。なお、同フローチャート中の丸数字は、図５において物品の販売処理の流れを示す丸数字に対応したものである。
【０１３７】
図１３において、図１２に示すプリペイドカード６１の購入時の各処理ステップと同様の処理ステップには同一の符号を付している。
【０１３８】
図１３において、デビット端末８０は、図１２の処理と同様、遊技客によるデビットカード８１の挿入（ステップＳ６１０）を受付け、次いで、該挿入されたデビットカード８１からカード情報（金融機関コード、カードＩＤ等）を読取って暗証番号の入力を要求し（ステップＳ６２０）、更に、遊技客による暗証番号を入力（ステップＳ６１１）を受付けて該暗証番号を保持した後、自動販売機に７５に対して所望の物品の選択（購入）操作が可能である旨を通知する（ステップＳ６２１ｂ）。
【０１３９】
これに対し、自動販売機７５は、デビット端末８０からの上記物品選択操作可の通知を受信すると、選択ボタン７５２を点灯状態に制御する（ステップＳ６３０ｂ）。
【０１４０】
選択ボタン７５２の点灯中、遊技客が、その点灯した選択ボタン７５２のいずれか〔購入希望の物品（物品見本７５１）に対応する選択ボタン７５２〕を押下すると（ステップＳ６４０ｂ）、自動販売機７５は、この押下された選択ボタン７５２に対応する物品の金額に相当する金額データをデビット端末８０に通知する（ステップＳ６３１ｂ）。
【０１４１】
一方、デビット端末８０は、自動販売機７５から上記金額データを受信すると、図１２に示す処理の流れと同様、当該金額（決済要求金額）データの他、該自動販売機７５を設置する店舗の店舗ＩＤと、該自動販売機７５の端末ＩＤと、ステップＳ６２０で読取ったカード情報（金融機関コード、カードＩＤ）、及び同ステップＳ６２１で入力された暗証番号とを含む決済要求を情報処理センタ５に送出する（ステップＳ６２２）。
【０１４２】
そして、その後、情報処理センタ５から、上記決済要求に基づく決済処理（ステップＳ６５０）の処理結果通知を受信すると、該処理結果を自動販売機７５に通知し（ステップＳ６２３ｂ）、次いでデビットカード８１を遊技客に返却し（ステップＳ６２４）、処理を終える。
【０１４３】
これに対し、自動販売機７５では、デビット端末８０から上記決済結果通知を受信し、該受信した処理結果を基に決済が完了したか否かを判断する（ステップＳ６３２ｂ）。
【０１４４】
ここで、通知された処理結果が決済完了であれば（ステップＳ６３２ｂＹＥＳ）、自動販売機７５は、それ以前のステップＳ６４０ｂで押下された選択ボタン７５２に対応する物品（この例では、缶飲料）を物品排出口７５３から排出し（ステップＳ６３３ｂ）、その後、全ての選択ボタン７５２を消灯状態に制御し（ステップＳ６３４ｂ）、処理を終える。
【０１４５】
また、通知された処理結果が決済が完了していないことを示している場合（ステップＳ６３２ｂＮＯ）は、直ちに全ての選択ボタン７５２を消灯状態に制御し（ステップＳ６３４ｂ）、処理を終える。
【０１４６】
図１４は、遊技客がデビットカード８１を用いてプリペイドカード６１を購入する際のデビットカード発行機９０及び情報処理センタ５間の処理動作を示すフローチャートである。なお、同フローチャート中の丸数字は、図６においてプリペイドカード６１の販売処理の流れを示す丸数字に対応したものである。
【０１４７】
図１４において、図１２に示すプリペイドカード６１の購入時の各処理ステップと同様の処理ステップには同一の符号を付している。
【０１４８】
図１４において、デビットカード発行機９０は、図１２の処理と同様、遊技客によるデビットカード８１の挿入（ステップＳ６１０）を受付け、次いで、該挿入されたデビットカード８１からカード情報（金融機関コード、カードＩＤ等）を読取って暗証番号の入力を要求し（ステップＳ６２０）、更に、遊技客による暗証番号を入力（ステップＳ６１１）を受付けて該暗証番号を保持した後、プリペイドカード処理部６００に対してカード発行操作可通知を通知し（ステップＳ６２１ｃ）、選択ボタン６０５を点灯状態に制御する（ステップＳ６３０）。
【０１４９】
選択ボタン６０５の点灯中、遊技客が、その点灯した選択ボタン６０５のいずれかを押下すると（ステップＳ６４０）、この押下された選択ボタン６０５に対応する物品の金額に相当する金額データをデビット処理部８００に通知する（ステップＳ６３１）。
【０１５０】
デビット処理部８００は、上記金額データを受信すると、図１２に示す処理の流れと同様、当該金額（決済要求金額）データの他、該デビットカード発行機９０を設置する店舗の店舗ＩＤと、該デビットカード発行機９０の端末ＩＤと、ステップＳ６２０で読取ったカード情報（金融機関コード、カードＩＤ）、及び同ステップＳ６２１で入力された暗証番号とを含む決済要求を情報処理センタ５に送出する（ステップＳ６２２）。
【０１５１】
そして、その後、情報処理センタ５から、上記決済要求に基づく決済処理（ステップＳ６５０）の処理結果通知を受信すると、該処理結果をプリペイドカード処理部６００に通知し（ステップＳ６２３ｃ）、次いでデビットカード８１を遊技客に返却する（ステップＳ６２４）、処理を終える。
【０１５２】
また、プリペイドカード処理部６００は、上記決済結果通知を受信し、該受信した処理結果を基に決済が完了したか否かを判断し（ステップＳ６３２）、ここで、通知された処理結果が決済完了であれば（ステップＳ６３２ＹＥＳ）、それ以前のステップＳ６４０で押下された選択ボタン６０５に対応する金額のプリペイドカード６１をカード発行口６０６から排出し（ステップＳ６３３）、その後、全ての選択ボタン６０５を消灯状態に制御し（ステップＳ６３４）、処理を終える。
【０１５３】
また、通知された処理結果が決済が完了していないことを示している場合（ステップＳ６３２ＮＯ）は、直ちに全ての選択ボタン６０５を消灯状態に制御し（ステップＳ６３４）、処理を終える。
【０１５４】
次に、本実施例に係わる情報処理センタ５の決済処理（図１２及び図１３及び図１４のステップＳ６５０参照）について詳細に説明する。
【０１５５】
図１５は、カード発行機６０、または自動販売機７５に接続されるデビット端末８０またはデビットカード発行機からの決済要求に基づく、情報処理センタ５での決済処理（利用制限処理）動作を示すフローチャートである。
【０１５６】
図１５において、情報処理センタ５は、図１２のステップＳ６２２、または、図１３のステップＳ６２２でデビット端末８０から送出された決済要求若しくは図１４のステップＳ６２２でデビットカード発行機９０から送出された決済要求を通信制御部５５ａを介して受信すると（ステップＳ６５１）、該決済要求に含まれる暗証番号が正常であることを条件に、主制御部５６の利用制限判定部５６２が、ステップＳ６５２以降の利用制限チェックを含む決済処理を実行する。
【０１５７】
まず、ステップＳ６５２において、利用制限判定部５６２は、デビット端末８０若しくはデビットカード発行機９０から受信した決済要求に含まれる店舗ＩＤ、端末ＩＤ、金融機関コード、カードＩＤ及び決済要求金額を抽出する（ステップＳ６５２）。
【０１５８】
次いで、利用制限判定部５６２は、第１の設定テーブルである利用制限設定テーブル５７１１（図９参照）を参照し（ステップＳ６５３）、上記店舗ＩＤを持つ店舗に設置される、上記端末ＩＤを持つ端末（カード発行機６０、または自動販売機７５、またはデビットカード発行機９０）でのデビット決済に対して金融機関利用制限チェックを適用するか否かを判断する（ステップＳ６５４）。
【０１５９】
この処理は、上記ステップＳ６５２で決済要求から抽出した店舗ＩＤ、端末ＩＤをキーに利用制限設定テーブル５７１１を検索し、該店舗ＩＤ、端末ＩＤに対応する金融機関利用制限チェックフラグが“１”であるか“０”であるかをチェックすることにより行う。
【０１６０】
この処理において、店舗ＩＤ、端末ＩＤに対応する金融機関利用制限チェックフラグが“０”であることにより、金融機関利用制限チェックを適用しないと判定された場合（ステップＳ６５４ＮＯ）、決済処理制御部５６１は、後述するステップＳ６５９の処理と同様、通信制御部５５ｂを通じてクリアリングセンタ６ａにアクセスし、今回の決済要求にて通知されたカードＩＤに対応する口座から当該決済要求で通知された決済要求金額を引き落とす決済処理を行う（ステップＳ６８１）。
【０１６１】
そして、この決済処理において決済ＯＫであったか決済ＮＧであったかの決済結果を、今回、デビット決済を利用するカード発行機６０、自動販売機７５、またはデビットカード発行機に通知した後、受け入れているデビットカード８１を返却して処理を終了する。
【０１６２】
他方、今回、デビット決済を利用するカード発行機６０、自動販売機７５、デビットカード発行機９０では、決済ＯＫか、決済ＮＧかによって、選択された金額のプリペイドカード６１、または物品の販売または販売禁止の制御を行う。
【０１６３】
これに対し、上記ステップＳ６５４において、店舗ＩＤ、端末ＩＤに対応する金融機関利用制限チェックフラグが“１”であることにより、金融機関利用制限チェックを適用すると判定された場合（ステップＳ６５４ＹＥＳ）、次いで、第２の設定テーブルである金融機関利用制限設定テーブル５７１２（図１０参照）を参照し（ステップＳ６５５）、上記店舗ＩＤを持つ店舗に設置される、上記端末ＩＤを持つ端末（カード発行機６０、自動販売機７５、またはデビットカード発行機）でのデビット決済に対して借入れ制限チェックを適用するか否かを判断する（ステップＳ６５６）。
【０１６４】
この処理は、上記ステップＳ６５２で決済要求から抽出した金融機関コードが金融機関利用制限設定テーブル５７１２に登録されているか否かをチェックすることにより行う。
【０１６５】
この処理において、上記ステップＳ６５２で決済要求から抽出した金融機関コードが金融機関利用制限設定テーブル５７１２に登録されていない場合（ステップＳ６５６ＮＯ）、次いで、利用制限判定部５６２は、利用制限設定テーブル５７１１を参照し、該利用制限設定テーブル５７１１に上記店舗ＩＤ、端末ＩＤに対応して設定されている利用制限情報に基づき、今回の決済要求が利用制限範囲内かどうかを判断する（ステップＳ６５７）。
【０１６６】
その際、利用制限判定部５６２は、今回受信されたカード情報中のカードＩＤを抽出し、このカードＩＤをキーに利用実績テーブル５７１３を検索し、該カードＩＤに対応する諸条件が利用制限設定テーブル５７１１の設定値範囲内であるか否か（利用ＯＫか利用ＮＧか）をチェックし、上記判断を下す。
【０１６７】
ここで、利用ＯＫであれば（ステップＳ６５８でＯＫ）、主制御部５６の決済処理制御部５６１は、通信制御部５５ｂを通じてクリアリングセンタ６ａにアクセスし、今回の決済要求にて通知されたカードＩＤに対応する口座から当該決済要求で通知された金額データ分を引き落とす処理を含む決済処理を開始する（ステップＳ６５９）。
【０１６８】
また、利用ＮＧであれば（ステップＳ６５８でＮＧ）、主制御部５６は、ステップ６６２での決済結果通知処理に進み、デビット端末８０またはデビットカード発行機９０に利用ＮＧであることを通知する。
【０１６９】
なお、利用ＯＫと判定された（ステップＳ６５８でＯＫ）後の、情報処理センタ５での上記決済処理は、例えば、以下の手順で実現できる。
【０１７０】
すなわち、上記ステップＳ６５８で利用ＯＫと判定した情報処理センタ５（決済処理制御部５６１）では、上記ステップＳ６２２での処理によりデビット端末８０またはデビットカード発行機９０から受信した各種データ（金額データ、金融機関コード、カードＩＤ、暗証番号等）を基に、通信制御部５５ｂを介して、ＣＡＦＩＳネットワーク６のクリアリングセンタ６ａに決済処理を依頼する（図１参照）。
【０１７１】
この依頼を受けたクリアリングセンタ６ａは、カード発行銀行７−１、決済銀行７−２、加盟店銀行７−３間で決済処理を行ない、このうちの即時実行する必要のある処理〔例えば、カード発行銀行７−１での、今回の決済要求にて通知されたカード情報中から抽出したカードＩＤに対応する口座から当該決済要求で通知された引き落とし金額分を引き落とす処理等〕が終了すると、情報処理センタ５に処理終了の通知を行う。
【０１７２】
また、クリアリングセンタ６ａでは、上記口座の残金不足等により決済処理が行えないような場合には、その旨を情報処理センタ５に通知する。
【０１７３】
デビットカード８１が借入機能付キャッシュカードの場合は、残金が不足していても、予め設定した借入れ上限額の範囲内であれば、借入れの形て決済処理を行い、上限額を超える場合には、その旨を情報処理センタ５に通知する。
【０１７４】
なお、即時実行分以外の決済処理は、予め決められた期間後（例えば、３営業日後）に実施され、最終的に、上記利用料金から上記決済処理により手数料等を差し引かれた代金が加盟店銀行７−３の情報処理センタ５の口座に振り込まれる。
【０１７５】
その後、この加盟店銀行７−３の情報処理センタ５の口座に振り込まれた代金から情報処理センタ５の手数料を差し引いた代金が、××銀行７−４のカード会社（カード会社センタ１を運営する）の口座に振り込まれる。
【０１７６】
更に、その後、この××銀行７−４のカード会社の口座に振り込まれた代金から各パチンコ店３の口座に、カード会社とパチンコ店３の取り決めに従い、プリペイドカード６１の使用度数に応じた代金が振り込まれる。
【０１７７】
さて、上記ステップＳ６５９での決済処理の開始後、情報処理センタ５内の主制御部５６では、クリアリングセンタ６ａからの上記通知を基に、上記決済処理が無事完了したか（ＯＫか）否かを監視する（ステップＳ６６０）。
【０１７８】
ここで、決済処理がＯＫの場合（ステップＳ６６０ＹＥＳ）、主制御部５６はデータベース管理部５６３を起動し、次の決済要求のアクセスに備え、ステップＳ６５８，Ｓ６５９での処理結果に応じて、利用実績テーブル５７１３の当該カードＩＤに対応するデータ内容をその利用実績に応じて更新させ（ステップＳ６６１）、次いでその決済結果をデビット端末８０またはデビットカード発行機９０に通知し（ステップＳ６６２）、処理を終了する。
【０１７９】
これに対し、例えば、今回の決済要求にて通知されたカードＩＤに対応する口座の残額が当該決済要求で通知された金額に満たない（残額不足）等により決済処理が行えなかった場合（ステップＳ６６０ＮＯ）、その決済結果を直ちにデビット端末８０またはデビットカード発行機９０に通知し（ステップＳ６６２）、処理を終了する。
【０１８０】
一方、デビット端末８０またはデビットカード発行機９０は、情報処理センタ５からの上記決済結果通知を受信すると、デビットカード８１を遊技客に返却する。
【０１８１】
その後、カード発行機６０またはデビットカード発行機９０は、対応するデビット端末８０から受信した決済結果に基づき、プリペイドカード６０の発行または発行禁止制御を行い、他方、自動販売機７５は、対応するデビット端末８０から受信した決済結果に基づき、物品の販売または販売禁止制御を実施する。
【０１８２】
一方、上記ステップＳ６５６において、上記ステップＳ６５２で決済要求から抽出した金融機関コードが金融機関利用制限設定テーブル５７１２に登録されている場合（ステップＳ６５６ＹＥＳ）、次いで、利用制限判定部５６２は、該金融機関コードに対応して金融機関利用制限設定テーブル５７１２に記憶されているチェックフラグが“１”であるか“０”であるかをチェックする（ステップＳ６７１）。
【０１８３】
これは、上記ステップＳ６５２で決済要求から抽出された店舗ＩＤ、端末ＩＤを基に、該店舗ＩＤを持つ店舗に設置される、該端末ＩＤを持つ端末（カード発行機６０、または自動販売機７５、デビットカード発行機９０）でのデビット決済に対して、借入機能に配慮したうえで、利用制限情報に基づく制限を適用するか適用しないかを判定する処理である。
【０１８４】
ここで、上記チェックフラグが“０”の場合（ステップＳ６７１ＮＯ）、上述したステップＳ６５７以降の処理に進む。
【０１８５】
これに対し、上記チェックフラグが“１”の場合（ステップＳ６７１ＹＥＳ）、利用制限判定部５６２は、更に、該金融機関コードに対応して利用を不可とする設定（利用不可設定）がなされているか否かを判定する（ステップＳ６７２）。
【０１８６】
この処理は、例えば、該金融機関コードに対応して金融機関利用制限設定テーブル５７１２に設定されている１回当たりの上限金額が“０”円であるか否かをチェックすることにより行う。
【０１８７】
ここで、上記上限金額が“０”円であることにより、利用不可設定がなされていると判定された場合（ステップＳ６７２ＹＥＳ）、利用制限設定がなされていると判断し、その旨を示す決済結果を対応するデビット端末８０またはデビットカード発行機９０に通知する（ステップＳ６６２）。
【０１８８】
この場合、デビット端末８０またはデビットカード発行機９０は、情報処理センタ５からの上記決済結果通知を受信すると、デビットカード８１を遊技客に返却する。
【０１８９】
その後、カード発行機６０またはデビットカード発行機９０は、ステップＳ６４０で選択済みの金額のプリペイドカード６１を発行することなく全ての選択ボタン６０５を消灯状態とし、処理を終了する。
【０１９０】
また、自動販売機７５は、対応するデビット端末８０から受信した決済結果に基づき、図１１のステップＳ６３２ｂで決済できなかったと判断し、同、ステップＳ６４０ｂで選択済みの物品を排出（販売）することなく全ての選択ボタン７５２を消灯状態とし、処理を終了する。
【０１９１】
これに対し、上記ステップＳ６７２において、上記上限金額が“０”円でないことにより、利用不可設定がなされていないと判定された場合（ステップＳ６７２ＮＯ）、金融機関利用制限設定テーブル５７１２を参照し、該金融機関利用制限設定テーブル５７１２に、該金融機関コードに対応して設定されている利用制限情報に基づき、今回の決済要求が利用制限範囲内かどうかを判断する（ステップＳ６７３）。
【０１９２】
そして、これ以後、ステップＳ６５８からは、上記ステップＳ６５６で金融機関利用制限設定テーブル５７１２に金融機関コードが登録されていなかった場合と同様の処理を実行する。
【０１９３】
すなわち、上記ステップＳ６７３において、利用制限判定部５６２は、今回受信されたカード情報中のカードＩＤを抽出し、このカードＩＤをキーに利用実績テーブル５７１３を検索し、該カードＩＤに対応する諸条件が金融機関利用制限設定テーブル５７１２の設定値範囲内であるか否かに応じて利用ＯＫか利用ＮＧかを判断する（ステップＳ６５８）。
【０１９４】
ここで、利用ＯＫであれば（ステップＳ６５８でＯＫ）、主制御部５６の決済処理制御部５６１は、通信制御部５５ｂを通じてクリアリングセンタ６ａにアクセスし、今回の決済要求にて通知されたカードＩＤに対応する口座から当該決済要求で通知された金額データ分を引き落とす処理を含む決済処理を開始する（ステップＳ６５９）。
【０１９５】
この決済処理では、口座の残高が不足する場合でも、借入可能額の範囲内での借入で済む場合にはデビット決済が実施でき（決済ＯＫ）、借入可能額の範囲内で借入しても不足する場合はデビット決済が実施不可となる（決済ＮＧ：ステップＳ６６０ＮＯ）。
【０１９６】
ここで、決済ＯＫの場合（ステップＳ６６０ＹＥＳ）は、ステップＳ６５８，Ｓ６５９での処理結果に応じて、利用実績テーブル５７１３の当該カードＩＤに対応するデータ内容をその利用実績に応じて更新させ（ステップＳ６６１）、次いでその決済結果をデビット端末８０またはデビットカード発行機９０に通知し（ステップＳ６６２）、処理を終了する。
【０１９７】
これに対し、上記ステップＳ６５８で利用ＮＧの場合（ステップＳ６５８ＮＧ）、及び上記ステップＳ６６０で決済ＮＧの場合（ステップＳ６６０ＮＯ）は、その決済結果をデビット端末８０またはデビットカード発行機に通知し（ステップＳ６６２）、処理を終了する。
【０１９８】
以後、デビット端末８０またはデビットカード発行機９０は、情報処理センタ５からの上記決済結果通知を受信すると、プリペイドカード６１の発行または発行禁止制御を行い、自動販売機７５は、デビット端末８０から受信した決済結果に基づき、物品の販売または販売禁止制御を実施する。
【０１９９】
図１５に示す一連の処理によれば、販売機の種別と、利用カード種別に対する利用制限内容の対応関係は図１６の表図に示す如くなる。
【０２００】
すなわち、利用制限設定テーブル５７１１（図９参照）に、遊技に関連する販売（カード発行機６０またはデビットカード発行機９０の端末ＩＤ）に対応して、金融機関利用制限チェックフラグを“１”に設定し、遊技以外の販売（自動販売機７５の端末ＩＤ）に対応して、同、フラグを“０”に設定しておくことで、自動販売機７５での物品の販売（遊技以外の販売）に際しては、通常デビットカード（通常キャッシュカード）、または借入可能デビットカード（借入機能付キャッシュカード）のいずれを利用した場合も、ステップＳ６５４ＮＯ→Ｓ６８１の処理を経て、決済要求額（選択した物品の価格）に対する決済センタ（クリアリングセンタ６ａ）からの決済ＯＫまたはＮＧの応答結果で物品の販売または販売禁止が制御される〔図１６の表図中の（Ｃ），（Ｄ）参照〕。
【０２０１】
これに対し、カード発行機６０またはデビットカード発行機９０からのプリペイドカード６１の発行（遊技に関連する販売）に際し、通常デビットカードを利用した場合には、ステップＳ６５６ＮＯ→Ｓ６５７〜Ｓ６６０の処理を経て、利用制限設定テーブル５７１１に設定されている利用制限情報と、決済センタでの決済結果とによって、デビット決済の制限が行われる〔図１６の表図中の（Ａ）参照〕。
【０２０２】
また、借入可能デビットカードを利用した場合には、ステップＳ６５６ＹＥＳ→Ｓ６７１ＹＥＳ→Ｓ６７２ＮＯ→Ｓ６７３→Ｓ６５８〜Ｓ６６０の処理を経て、金融機関利用制限設定テーブル５７１２に設定されている利用制限情報と、決済センタ（クリアリングセンタ６ａ）での決済結果〔使用不可（利用上限金額＝“０”円）の場合を含む〕とによって、デビット決済の制限が行われる〔図１６の表図中の（Ｂ）参照〕。
【０２０３】
特に、本発明では、金融機関利用制限設定テーブル５７１２の利用制限情報として、使用不可（利用上限金額＝“０”円）の設定も行えるようにしている。
【０２０４】
これにより、本実施例においては、通常デビットカードを利用した遊技に関連する販売については、利用制限設定テーブル５７１１に設定された利用制限情報によるデビット決済の制限を行う一方で、借入可能デビットカードを利用した遊技に関連する販売については、金融機関利用制限設定テーブル５７１２に設定された利用制限情報に基づき、利用不可も含むデビット決済制限を行うことで、借入可能デビットカードを利用し、借入してまでも遊技にのめり込むことを効果的に防止できる。
【０２０５】
なお、利用制限設定テーブル５７１１と、金融機関利用制限設定テーブル５７１２に共通する利用制限情報の項目として、例えば、一日あたりの上限金額または上限回数、１回の販売当たりの上限金額または下限金額等があるが、これらの項目の設定値については、借入れによる決済もできるという借入可能デビットカードの特質による遊技へののめり込み防止の観点から、通常デビットカードに対して設定される同項目の値に対してより制限の厳しい値を設定するようにしても良い。
【０２０６】
かかる設定によっても、借入可能デビットカードを用いた遊技に関する販売に際し、通常デビットカードを用いた場合に比べてより厳しい利用制限を行うことで、借入可能デビットカードを用いた借り入れによる遊技へののめり込み抑制効果が期待でき、遊技場におけるデビットカード使用の健全性をアピールできる。
【０２０７】
また、本実施例では、借入可能デビットカードを提供する金融機関の業態をチェックし、借入してまでの利用を許可するのに相応しくない業態の属する金融機関コードを金融機関利用制限設定テーブル２７１２に設定することで、通常の業態での利用者の利便性は損なわず、遊技施設等、のめり込み防止の危険性のある業態に対し抑止力を持たせることができる。
【実施例２】
【０２０８】
実施例１では、デビットカード８１（キャッシュカードまたは借入機能付キャッシュカード）の種別に応じた利用制限情報に基づく利用制限制御を、パチンコ店３の店外の情報処理センタ５で行う構成について述べたが、実施例２では、当該カード種別に応じた利用制限制御機能を、例えば、パチンコ店３の店内のデビット端末８０またはデビットカード発行機９０に設けたものである。
【０２０９】
実施例２に係わるデビット端末８０またはデビットカード発行機９０は、例えば、図７または図８に示す構成中、制御部８０３内に、実施例１に係わる情報処理センタ５が持つ、決済処理制御部５６１、利用制限判定部５６２、データベース管理部５６３を設けると共に、図７または図８に示す構成中のメモリ部８０４内に、実施例１に係わる情報処理センタ５が持つ、利用制限データベース５７１（利用制限設定テーブル５７１１、金融機関利用制限設定テーブル５７１２、利用実績テーブル５７１１から成る）を設けた構成で実現できる。
【０２１０】
この場合、利用制限設定テーブル５７１１には、該デビット端末８０に接続されている販売機（カード発行機６０、または自動販売機７５）またはデビットカード発行機９０の端末ＩＤに対応して利用制限情報（情報項目は、例えば、実施例１に同じ）を登録して設定する。
【０２１１】
かかる構成において、実施例２のデビット端末８０またはデビットカード発行機９０では、制御部８０３に設けた利用制限判定部５６２が、挿入されたデビットカード８１から読み取ったカード情報に基づきデビット決済に用いる金融機関を特定する処理（カード情報から金融機関コードを抽出する処理）と、特定された金融機関（抽出した金融機関コード）が金融機関利用制限設定テーブル５７１２に登録されている場合は、該登録された金融機関に対応して当該金融機関利用制限設定テーブル５７１２に設定されている利用制限情報（第１の利用制限情報）でデビット決済を制限し、上記特定された金融機関が金融機関利用制限設定テーブル５７１２に登録されていない場合は、デビット決済を行う販売機（接続されているカード発行機６０、または自動販売機、またはデビットカード発行機９０）の端末ＩＤに対応して利用制限設定テーブル５７１１に設定されている利用制限情報（第２の利用制限情報）に基づいてデビット決済を制限する制御を行う。
【０２１２】
この制御の実現にあたっては、例えば、接続されるカード発行機６０との間では、図１２に示すフローチャートに従った制御動作中、ステップＳ６２２に代えて、また、接続される自動販売機７５との間では、図１３に示すフローチャートに従った制御動作中、ステップＳ６２２に代えて、また、デビットカード発行機９０では、図１４に示すフローチャートに従った制御動作中、ステップＳ６２２に代えて、それぞれ、図１５に示す、実施例１に係わる情報処理センタ５と同様の決済処理（但し、決済要求の送信元、決済結果の通知先はカード発行機６０、または自動販売機７５、デビットカード発行機機９０）を実施する制御を行えば良い。
【０２１３】
実施例２の構成によれば、デビット端末８０またはデビットカード発行機９０自身が、該デビット端末８０またはデビットカード発行機９０で、デビット決済に用いるデビットカードが借入可能デビットカードであることを判別し、該借入可能デビットカードの借入機能を利用したデビット決済の利用制限を実施できる。
【０２１４】
なお、実施例２において、金融機関利用制限設定テーブル５７１２に設定する金融機関コードの情報は、例えば、情報処理センタ５からデビット端末８０またはデビットカード発行機９０に送信して、該デビット端末８０またはデビットカード発行機９０が金融機関利用制限設定テーブル５７１２に設定するようにしても良い。
【０２１５】
また、実施例２においては、デビットカード８１の種別に応じた利用制限情報に基づく利用制限制御をパチンコ店３に設けたデビット端末８０またはデビットカード発行機９０で行うように構成したが、この利用制限制御は、パチンコ店３に設けた他の装置、例えば会員管理用Ｔ／Ｃ１０、カード管理用Ｔ／Ｃ２０、で行うように構成してもよい。
【実施例３】
【０２１６】
実施例１及び実施例２では、デビットカード８１を用いたデビット決済をデビットカード８１の種別に応じた利用制限情報に基づき行うように構成したが、実施例３においては、デビットカードを用いたデビット決済を、販売機に対応する第１の利用制限情報により制限し、その後、金融機関に対応する第２の利用制限情報により制限する。ここで、第１の利用制限情報は、図９に示した利用制限設定テーブル５７１１に設定される利用制限情報に対応し、第２の利用制限情報は、図１０に示した金融機関利用制限テーブル５７１２に設定される利用制限情報に対応する。
【０２１７】
なお、第１の利用制限情報は、デビット決済がデビットカード発行機９０である場合とその他の場合とで異ならせるように設定してもよい。これは、デビットカード発行機９０は、プリペイドカードの購入専用に用いられるので、上記設定によりデビット決済による遊技へののめり込みを有効に抑制できるからである。
【０２１８】
図１７は、実施例３におけるデビットカードを用いたデビット決済の制限処理の流れの概要を示すフローチャートである。
【０２１９】
図１７において、デビット端末８０またはデビットカード発行機９０でデビットカードの挿入を受け付けると（ステップＳ７０１）、暗証番号の入力を受け付け（ステップＳ７０２）、購入金額の入力を受け付ける（ステップＳ７０３）。
【０２２０】
ここまでの処理は、図１２乃至図１４に示したステップＳ６０１からＳ６３１の処理と同様である。
【０２２１】
次に、デビットカードを用いたデビット決済を第１の利用制限情報によりチェックする（ステップＳ７０４）。この第１の利用制限情報によるデビット決済のチェックは、情報処理センタ５に、店舗ＩＤ、端末ＩＤ、金融機関コード、カードＩＤ及び決済要求金額を含む決済要求を送出することにより、情報処理センタ５において行われる。
【０２２２】
情報処理センタ５では、上記決済要求から店舗ＩＤ、端末ＩＤ、金融機関コード、カードＩＤ及び決済要求金額を抽出し、利用制限設定テーブル５７１１を参照し、今回の決済要求が利用制限設定テーブル５７１１の上記店舗ＩＤ、端末ＩＤに対応して設定されている利用制限情報の利用制限範囲内かどうかを判断することにより上記第１の利用制限情報によるチェックを行う。
【０２２３】
第１の利用制限情報によるチェックにより、デビット決済が利用可と判断されると（ステップＳ７０５ＹＥＳ）、次に、このデビット決済を第２の利用制限情報によりチェックする（ステップＳ７０６）。
【０２２４】
この第２の利用制限情報によりチェックは、金融機関利用制限テーブル５７１２にデビット決済に係わる金融機関が登録されており、かつ、今回の決済要求が金融機関利用制限テーブル５７１２に設定されている利用制限範囲内かどうかを判断することにより行われる。
【０２２５】
第２の利用制限情報によりチェックにより、デビット決済が利用可と判断されると（ステップＳ７０７ＹＥＳ）、情報処理センタ５によるデビット決済処理が実行される（ステップＳ７０８）。この情報処理センタ５によるデビット決済処理は、図４または図６に示す情報処理センタ５の主制御部５６の決済処理制御部５６１が、通信制御部５５ｂを通じてクリアリングセンタ６ａにアクセスし、今回の決済要求にて通知されたカードＩＤに対応する口座から当該決済要求で通知された金額データ分を引き落とす処理を含む決済処理を実行することにより行われる。
【０２２６】
上記デビット決済が正常に終了すると、情報処理センタ５からでビット端末８０またはデビットカード発行機９０に決済結果が通知され、ビット端末８０に接続されたカード発行機６０または自動販売機７５またはデビットカード発行機９０では、この決済結果に通知に基づきデビット販売処理を制御する（ステップＳ７０９）。
【０２２７】
また、ビット端末８０またはデビットカード発行機９０では、デビットカードを返却し（ステップＳ７１０）、この処理を終了する。
【０２２８】
なお、ステップＳ７０５でデビット決済が利用不可であると判断された場合（ステップＳ７０５ＮＯ）若しくはステップＳ７０７でデビット決済が利用不可であると判断された場合（ステップＳ７０７ＮＯ）は、情報処理センタ５からでビット端末８０またはデビットカード発行機９０にその判断結果が通知され、ビット端末８０またはデビットカード発行機９０では、デビットカードを返却し（ステップＳ７１０）、この処理を終了する。
【０２２９】
なお、上記構成においては、第１の利用制限情報にチェック及び第２の利用制限情報によるチェックを情報処理センタ５で行うように構成したが、この第１の利用制限情報にチェック及び第２の利用制限情報によるチェックのいずれか一方若しくは両方をパチンコ店３に設けたデビット端末８０またはデビットカード発行機９０若しくは他の装置、例えばカード管理用Ｔ／Ｃ２０で行うように構成してもよい。
【０２３０】
また、第２の利用制限情報として、デビット決済が利用不可な金融機関を設定し、デビット決済に係わる金融機関が第２の利用制限情報に設定された金融機関と一致する場合、デビット決済を拒否し、一致しない場合、デビット決済に係わる販売機に対応して第１の利用制限情報によりデビット決済を制限するように構成してもよい。
【０２３１】
また、第２の利用制限情報として、デビット決済が利用可な金融機関を設定し、デビット決済に係わる金融機関が第２の利用制限情報に設定された金融機関と一致しない場合、デビット決済を拒否し、一致する場合、デビット決済に係わる販売機に対応して第１の利用制限情報によりデビット決済を制限するように構成してもよい。
【０２３２】
また、情報処理センタ５でデビット決済が第２の利用制限情報により制限された場合は、その旨をデビット端末８０またはデビットカード発行機９０に通知し、デビット端末８０またはデビットカード発行機９０では上記通知に基づきデビット決済が情報処理センタ５で制限された理由を表示するように構成してもよい。
【０２３３】
また、デビット端末８０またはデビットカード発行機９０は、デビット決済を利用不可な金融機関を記憶し、デビット決済に係わる金融機関が記憶されている金融機関と一致する場合は、情報処理センタ５に対する決済要求の送信を禁止するように構成してもよい。  この場合、デビット端末８０またはデビットカード発行機９０は、情報処理センタ５でデビット決済が１回でも利用不可となるとこの金融機関を記憶し、２回目以降は、情報処理センタ５と通信をせずにデビット端末８０またはデビットカード発行機９０側でデビット決済が不可であることを通知する。
【０２３４】
また、デビット端末８０またはデビットカード発行機９０では、デビット決済を利用可な金融機関を記憶し、デビット決済に係わる金融機関が記憶されている金融機関と一致しない場合は、情報処理センタ５に対する決済要求の送信を禁止するように構成してもよい。
【実施例４】
【０２３５】
図１７に示す実施例３においては、デビットカードを用いたデビット決済を、販売機に対応する第１の利用制限情報により制限し、その後、金融機関に対応する第２の利用制限情報により制限するように構成したが、このデビットカードを用いたデビット決済を、金融機関に対応する第２の利用制限情報により制限し、その後、販売機に対応する第１の利用制限情報により制限するように構成してもよい。
【０２３６】
図１８は、実施例４におけるデビットカードを用いたデビット決済の制限処理の流れの概要を示すフローチャートである。
【０２３７】
図１８において、デビット端末８０またはデビットカード発行機９０でデビットカードの挿入を受け付けると（ステップＳ７１１）、暗証番号の入力を受け付け（ステップＳ７１２）、購入金額の入力を受け付ける（ステップＳ７１３）。ここまでの処理は、図１７に示したステップＳ７０１からＳ７０３の処理と同様である。
【０２３８】
次に、デビットカードを用いたデビット決済を第２の利用制限情報によりチェックする（ステップＳ７１４）。この第２の利用制限情報によるデビット決済のチェックは、情報処理センタ５に、店舗ＩＤ、端末ＩＤ、金融機関コード、カードＩＤ及び決済要求金額を含む決済要求を送出することにより、情報処理センタ５において行われる。
【０２３９】
情報処理センタ５では、上記決済要求から店舗ＩＤ、端末ＩＤ、金融機関コード、カードＩＤ及び決済要求金額を抽出し、この第２の利用制限情報によるデビット決済のチェックを、図１７に示したステップＳ７０６の処理と同様に、金融機関利用制限テーブル５７１２にデビット決済に係わる金融機関が登録されており、かつ、今回の決済要求が金融機関利用制限テーブル５７１２に設定されている利用制限範囲内かどうかを判断することにより行われる。
【０２４０】
第２の利用制限情報によるチェックにより、デビット決済が利用可と判断されると（ステップＳ７１５ＹＥＳ）、次に、このデビット決済を第１の利用制限情報によりチェックする（ステップＳ７１６）。この第１の利用制限情報によりチェックは、図１７に示したステップＳ７０４の処理と同様である。
【０２４１】
第１の利用制限情報によりチェックにより、デビット決済が利用可と判断されると（ステップＳ７１７ＹＥＳ）、情報処理センタ５によるデビット決済処理が実行される（ステップＳ７１８）。そして、上記デビット決済が正常に終了すると、デビット端末８０に接続されたカード発行機６０または自動販売機７５またはデビットカード発行機９０では、この決済結果に通知に基づきデビット販売処理を制御し（ステップＳ７１９）、また、ビット端末８０またはデビットカード発行機９０では、デビットカードを返却し（ステップＳ７２０）、この処理を終了する。このステップＳ７１７からＳ７２０までの処理は図１７に示したステップＳ７０７からＳ７１０までの処理と同様である。
【０２４２】
なお、ステップＳ７１５でデビット決済が利用不可であると判断された場合（ステップＳ７１５ＮＯ）若しくはステップＳ７０７でデビット決済が利用不可であると判断された場合（ステップＳ７１７ＮＯ）は、デビットカードを返却し（ステップＳ７２０）、この処理を終了する。
【０２４３】
なお、上記構成においても、第１の利用制限情報にチェック及び第２の利用制限情報によるチェックを情報処理センタ５で行うように構成したが、この第１の利用制限情報によるチェック及び第２の利用制限情報によるチェックのいずれか一方若しくは両方をパチンコ店３に設けたデビット端末８０またはデビットカード発行機９０若しくは他の装置、例えばカード管理用Ｔ／Ｃ２０で行うように構成してもよい。
【０２４４】
また、デビット端末８０またはデビットカード発行機９０は、デビット決済を利用不可な金融機関若しくはデビット決済を利用可な金融機関を情報処理センタ５での判別結果に基づき記憶し、２回目以降は、情報処理センタ５と通信をせずにデビット端末８０またはデビットカード発行機９０側でデビット決済が不可であるかを判別して遊技客に通知するように構成してもよい。
【実施例５】
【０２４５】
図１８に示す実施例４においては、デビットカードの挿入後、暗証番号の入力及び購入金額の入力を行って、その後に第２の利用制限情報によるチェックを行うように構成したが、実施例５においては、デビットカードの挿入後に第２の利用制限情報によるチェックを行い、デビット決済が利用可の判断された後に暗証番号の入力及び購入金額の入力を行うように構成される。その他の構成は図１８に示した実施例４のと同様である。
【０２４６】
図１９は、実施例５におけるデビットカードを用いたデビット決済の制限処理の流れの概要を示すフローチャートである。
【０２４７】
図１９において、デビット端末８０またはデビットカード発行機９０でデビットカードの挿入を受け付けると（ステップＳ７２１）、このデビットカードを用いたデビット決済を第２の利用制限情報によりチェックする（ステップＳ７２２）。この第２の利用制限情報によるデビット決済のチェックは、図１８に示したステップＳ７１４の処理と同様である。
【０２４８】
ただし、この実施例５においては、この第２の利用制限情報によるデビット決済のチェックをデビット端末８０またはデビットカード発行機９０で行うように構成することで、デビット決済の利用不可と判断された場合は不要な決済要求を情報処理センタ５に送出しなくて済む。
【０２４９】
第２の利用制限情報によるチェックにより、デビット決済が利用可と判断されると（ステップＳ７２３ＹＥＳ）、次に、暗証番号の入力を受け付け（ステップＳ７２４）、購入金額の入力を受け付ける（ステップＳ７２５）。
【０２５０】
次に、デビットカードを用いたデビット決済を第１の利用制限情報によりチェックする（ステップＳ７２６）。この第１の利用制限情報によるデビット決済のチェックは、図１７に示したステップＳ７０４の処理と同様である。
【０２５１】
第１の利用制限情報によりチェックにより、デビット決済が利用可と判断されると（ステップＳ７２７ＹＥＳ）、情報処理センタ５によるデビット決済処理が実行される（ステップＳ７２８）。そして、上記デビット決済が正常に終了すると、デビット端末８０に接続されたカード発行機６０または自動販売機７５またはデビットカード発行機９０では、この決済結果に通知に基づきデビット販売処理を制御し（ステップＳ７２９）、また、ビット端末８０またはデビットカード発行機９０では、デビットカードを返却し（ステップＳ７３０）、この処理を終了する。このステップＳ７２７からＳ７３０までの処理は図１８に示したステップＳ７１７からＳ７２０までの処理と同様である。
【０２５２】
なお、ステップＳ７２３でデビット決済が利用不可であると判断された場合（ステップＳ７２３ＮＯ）若しくはステップＳ７２７でデビット決済が利用不可であると判断された場合（ステップＳ７２７ＮＯ）は、デビットカードを返却し（ステップＳ７３０）、この処理を終了する。
【実施例６】
【０２５３】
実施例６においては、図１９に示した実施例５において、第２の利用制限情報によるチェックによりデビット決済が利用不可と判断された場合に、他の金融機関のデビットカードを挿入することにより、デビット決済の再決済要求を行うことができるようにした点が実施例５と異なる。他の構成は、実施例５と同様である。
【０２５４】
図２０において、デビット端末８０またはデビットカード発行機９０でデビットカードの挿入を受け付けると（ステップＳ７３１）、このデビットカードを用いたデビット決済を第２の利用制限情報によりチェックする（ステップＳ７３２）。このステップＳ７３１からＳ７３２の処理は、図１９に示したステップＳ７２１からＳ７２２の処理と同様である。
【０２５５】
第２の利用制限情報によるチェックにより、デビット決済が利用不可と判断されると（ステップＳ７３３ＮＯ）、図２１に示す利用不可画面７３４０が表示され（ステップＳ７３４）、続いて、図２１に示す他の金融機関の選択画面７３５０が表示される（ステップＳ７３５）。
【０２５６】
他の金融機関の選択画面７３５０において、「はい」を選択すると（ステップＳ７３５）、挿入されていたデビットカードを返却する（ステップＳ７３７）。この状態で他の金融機関のデビットカードの挿入を受け付け（ステップＳ７３８）、このデビットカードを用いたデビット決済を第２の利用制限情報によりチェックする（ステップＳ７３９）。この第２の利用制限情報によるチェックは、ステップＳ７３２のチェックと同様である。
【０２５７】
ステップＳ７３９での第２の利用制限情報によるチェックにより、デビット決済が利用不可と判断されると（ステップＳ７４０ＮＯ）、ステップＳ７３４に戻り、ステップＳ７３４からＳ７４０の処理が繰り返される。
【０２５８】
ステップＳ７３３でデビット決済が利用可と判断された場合（ステップＳ７３３ＹＥＳ）またはステップＳ７４０でデビット決済が利用可と判断された場合（ステップＳ７４０ＹＥＳ）は、次に、暗証番号の入力を受け付け（ステップＳ７４１）、購入金額の入力を受け付ける（ステップＳ７４２）。
【０２５９】
次に、デビットカードを用いたデビット決済を第１の利用制限情報によりチェックする（ステップＳ７４３）。そして、第１の利用制限情報によりチェックにより、デビット決済が利用可と判断されると（ステップＳ７４４ＹＥＳ）、情報処理センタ５によるデビット決済処理が実行され（ステップＳ７４５）、上記デビット決済が正常に終了すると、デビット端末８０に接続されたカード発行機６０または自動販売機７５またはデビットカード発行機９０では、この決済結果に通知に基づきデビット販売処理を制御し（ステップＳ７４６）、また、ビット端末８０またはデビットカード発行機９０では、デビットカードを返却し（ステップＳ７４７）、この処理を終了する。このステップＳ７４１からＳ７４７までの処理は図１９に示したステップＳ７２４からＳ７３０までの処理と同様である。なお、ステップＳ７３６で「いいえ」を選択した場合（ステップＳ７３６ＮＯ）若しくはステップＳ７４４でデビット決済が利用不可であると判断された場合（ステップＳ７４４ＮＯ）は、デビットカードを返却し（ステップＳ７４７）、この処理を終了する。
【０２６０】
なお、上述した実施例１乃至６において、情報処理センタ５でデビット決済が利用不可となったデビット決済を金融機関別、パチンコ店別、デビット端末別、デビットカード発行機別、地域別に集計し、これを図４または図６に示した情報処理センタ５のメモリ部５７に格納して管理し、金融機関及びパチンコ店に通知することによりデビット取引の拡大及びデビット取引の信頼性を高めることができる。
【０２６１】
図２２は、情報処理センタ５のメモリ部５７に格納される金融機関別に集計された利用不可金融機関集計テーブルの一例を示す図である。
【０２６２】
図２２に示す利用不可金融機関集計テーブル５７１４には、金融機関の店番号、口座番号に対応して、デビット決済が利用不可となった決済金額、このデビット決済が利用可となった場合の予測手数料が集計されて記録される。
【０２６３】
金融機関では、この利用不可金融機関集計テーブル５７１４の内容の通知を受けることにより、デビット決済を利用可とした場合の予測手数料を知ることができ、上記予測手数料と借入機能が付加されたデビットカードの借入により得られる利益との比較により、上記予測手数料が上記借入により得られる利益より大きい場合は、デビットカードから借り入れ機能をなくすことを金融機関に検討させることができる。
【０２６４】
また、パチンコ店においては、例えば、パチンコ店別のデビット決済が利用不可となった集計結果の通知を受けることにより、利用不可の回数が多い金融機関をデビット端末８０またはデビットカード発行機９０の待機画面に表示することにより、不要なデビット決済を抑制でき、更に、一度決済不可となった金融機関については、デビット端末８０またはデビットカード発行機９０で記憶することにより、次回は、情報処理センタ５に接続することなくデビット端末８０またはデビットカード発行機９０側でデビット決済の不可を判断することが可能になる。
【０２６５】
本発明は、上記し、且つ図面に示す実施例に限定することなく、その要旨を変更しない範囲内で適宜変形して実施できるものである。
【０２６６】
例えば、上記各実施例において、利用制限情報は設定で任意に変更できても、また固定でもいずれでも構わない。
【０２６７】
また、利用制限情報は、一定期間内の利用上限（期間と上限金額、制限回数）を制限する方法と、取引一回当たりの上限金額、下限金額を制限する方法のどちらか一方を用いても良いし、両方を用いても良い。
【０２６８】
また、上記各実施例において、金融機関利用制限設定テーブル５７１２に設定する金融機関コードについては、借入機能が付加されたカード（借入可能デビットカード）であることを判別できるカード情報であれば良く、該金融機関コードに代えてカードＩＤを設定しても良い。
【０２６９】
また、利用制限設定テーブル５７１１と、金融機関利用制限設定テーブル５７１２とを設け、販売機に対応して設けられるデビット端末８０からの決済要求情報から、デビット決済に用いる販売機（端末ＩＤ）および金融機関（金融機関コード）を特定し、該特定された金融機関が金融機関利用制限設定テーブル５７１２に登録されている場合は、該登録された金融機関に対応して該金融機関利用制限設定テーブル５７１２に設定されている利用制限情報でデビット決済を制限し、上記特定された金融機関が金融機関利用制限設定テーブル５７１２に登録されていない場合は、上記特定された販売機に対応して利用制限設定テーブル５７１１に設定されている利用制限情報でデビット決済を制限するようにしているが、これに限らず、例えば、デビット決済に用いるデビットカードが金融機関からの借り入れを可能にするカードである場合の利用制限情報を該金融機関に対応して設定する１つの利用制限設定テーブルを設け、販売機からの決済要求情報に基づきデビットカードが借入可能カードであるか否かを判別し、借入可能カードであると判別された場合に、上記利用制限設定テーブルに設定された利用制限情報に基づきデビット決済を制限する構成としても良い。
【０２７０】
この場合のデビット決済制限制御においても、デビット決済を用いる販売機がカード発行機６０である場合に、上記設定された利用制限情報に基づきデビット決済を制限するようにすれば良い。
【０２７１】
同様に、実施例２における、デビット端末８０に、デビットカードの種別に応じた利用制限制御機能を設けた構成についても、その変形例として、デビット決済に用いるデビットカードが金融機関からの借り入れを可能にするカードである場合の利用制限情報を該金融機関に対応して設定する１つの利用制限設定テーブルを設け、販売機からの決済要求情報に基づきデビットカードが借入可能カードであるか否かを判別し、デビットカードが借り入れを可能にするカードであると判別された場合に、上記利用制限設定テーブルに設定された利用制限情報に基づきデビット決済を制限する構成としても良い。
【０２７２】
更に、本発明の別の実施例としては、カード発行機６０と対応するデビット端末８０間、及び自動販売機７５と対応するデビット端末８０間に、それぞれ、パチンコ店の会員情報を管理する会員管理用Ｔ／Ｃ１０とも接続される会員管理端末を接続し、上記会員管理用Ｔ／Ｃ１０において、上述したカード種別に応じた利用制限制御を行う構成としても良い。
【０２７３】
この場合は、Ｔ／Ｃ１０のワークステーション１１０内のメモリ１１０−２の利用制限データベース１１２（図２参照）に、例えば、実施例１に係わる利用制限設定テーブル５７１１、金融機関利用制限設定テーブル５７１２、利用実績テーブル５７１３と同等のテーブルが設け、利用実績テーブル５７１３における利用実績はデビットカード８１のカードＩＤではなく、会員ＩＤに対応して管理するようにする。
【０２７４】
そのうえで、利用制限データベース１１２に基づく利用制限判定やデータベース管理等の処理機能を、同ワークステーション１１０内の制御部１１０−１に実装し、該制御部１１０−１は、会員管理端末が受け入れた会員カードから読取った会員ＩＤを該会員管理端末から受信し、該会員ＩＤに基づき利用実績テーブルを検索し、該会員ＩＤに対応する諸条件が利用制限設定テーブルに設定される利用制限範囲内であるか否か（利用ＯＫかＮＧか）を判断し、利用ＯＫである場合はその旨を利用可能額と共に会員管理端末に通知する。
【０２７５】
会員管理端末は、利用ＯＫ及び利用可能額を通知されると、デビット端末８０にデビットカード受入可の通知を行い、その後、デビット端末８０でデビットカードが受け入れられた旨の通知を受けると、カード発行機６０または自動販売機７５に上記利用可能額範囲の金額の選択ボタンを点灯させて発行額または物品を選択させ、該選択された発行額または物品に対応する金額の決済処理をデビット端末８０に行わせ、決済完了した場合は、上記選択された発行額に相当するプリペイドカード６１または選択された物品を販売するように制御し、かつ、その決済結果に応じて、利用実績テーブルを更新させるように制御する。
【産業上の利用可能性】
【０２７６】
本発明は、デビットカードを受け入れ、該デビットカードの種別に応じて、遊技用記録媒体や物品の販売に係わるデビット決済利用額を制限する機能を有するデビットカードシステム及びデビット端末に適用できる。
【図面の簡単な説明】
【０２７７】
【図１】本発明の遊技システムの全体構成を示すブロック図。
【図２】会員管理用Ｔ／Ｃの詳細構成を示すブロック図。
【図３】会員管理用Ｔ／Ｃに格納されるデータベースの構成例を示す表図。
【図４】実施例１におけるデビット端末、カード発行機、及び情報処理センタの構成及び接続態様を示す概念図。
【図５】実施例１における自動販売機、デビット端末、情報処理センタ間の接続態様を示す概念図。
【図６】実施例１におけるデビットカード発行機、情報処理センタ間の接続態様を示す概念図。
【図７】実施例１に係わるデビット端末の機能構成を示すブロック図。
【図８】実施例１に係わるデビットカード発行機の機能構成を示すブロック図。
【図９】利用制限設定テーブルのデータ登録内容を示す表図。
【図１０】金融機関利用制限設定テーブルのデータ登録内容を示す表図。
【図１１】利用実績テーブルのデータ登録内容を示す表図。
【図１２】実施例１におけるプリペイドカード購入時のカード発行機、デビット端末及び情報処理センタ間の処理動作を示すフローチャート。
【図１３】実施例１における物品購入時の自動販売機、デビット端末及び情報処理センタ間の処理動作を示すフローチャート。
【図１４】実施例１におけるプリペイドカード購入時のデビットカード発行機及び情報処理センタ間の処理動作を示すフローチャート。
【図１５】実施例１に係わる情報処理センタでの決済処理動作を示すフローチャート。
【図１６】販売機の種別と、利用カード種別に対する利用制限内容の対応関係を示す表図。
【図１７】実施例３におけるデビットカードを用いたデビット決済の制限処理の流れの概要を示すフローチャート
【図１８】実施例４におけるデビットカードを用いたデビット決済の制限処理の流れの概要を示すフローチャート。
【図１９】実施例５におけるデビットカードを用いたデビット決済の制限処理の流れの概要を示すフローチャート。
【図２０】実施例６におけるデビットカードを用いたデビット決済の制限処理の流れの概要を示すフローチャート。
【図２１】実施例６における利用不可画面及び他の金融機関の選択画面の一例を示す図。
【図２２】利用不可金融機関集計テーブルの一例を示す図。
【符号の説明】
【０２７８】
１  カード会社センタ
２，４  公衆回線網
３−１，３−２，〜，３−ｎ  パチンコ店
５  情報処理センタ
５５ａ，５５ｂ  通信制御部
５６  主制御部
５６１  決済処理制御部
５６２  利用制限判定部
５６３  データベース管理部
５７  メモリ部
５７１  利用制限データベース
５７１１  利用制限設定テーブル
５７１２  金融機関利用制限設定テーブル
５７１３  利用実績テーブル
６  ＣＡＦＩＳネットワーク
６ａ  クリアリングセンタ
７−１  カード発行銀行
７−２  決済銀行
７−３  加盟店銀行
７−４  カード会社取引銀行
７−５  パチンコ店口座
１０  会員管理用ターミナルコントローラ（Ｔ／Ｃ）
１１０  ワークステーション
１１０−１  制御部
１１０−２  メモリ部
１１１  会員管理用データベース
１１２  利用制限データベース
１１０−３  表示部
１１０−４  入出力部
１２０  パーソナルコンピュータ
１３０  プリンタ
１４０  会員カード販売機
１５，２５  ローカルエリアネットワーク（ＬＡＮ）
２０  カード管理用ターミナルコントローラ（Ｔ／Ｃ）
３０  島
４０  島コントローラ（Ｓ／Ｃ）
５０  遊技ユニット
５１０  遊技機
５２０  カード処理ユニット
６０  カード発行機
６１  プリペイドカード
６０５  選択ボタン
６０６  カード発行口
７０  カード精算機
７５  自動販売機
７５１  物品見本
７５２  選択ボタン
７５３  物品排出口
８０  デビット端末
８１  デビットカード
８０１  通信制御部
８０２  通信制御部
８０３  制御部
８０４  メモリ部
８０４ａ  利用制限データベース
８０５  表示部
８０６  キー操作部
８０７  カード挿入／排出口
８０８  カードリーダ部
８０９  プリンタ部
【図１】
2008264529.tif 000003
【図２】
2008264529.tif 000004
【図３】
2008264529.tif 000005
【図４】
2008264529.tif 000006
【図５】
2008264529.tif 000007
【図６】
2008264529.tif 000008
【図７】
2008264529.tif 000009
【図８】
2008264529.tif 000010
【図９】
2008264529.tif 000011
【図１０】
2008264529.tif 000012
【図１１】
2008264529.tif 000013
【図１２】
2008264529.tif 000014
【図１３】
2008264529.tif 000015
【図１４】
2008264529.tif 000016
【図１５】
2008264529.tif 000017
【図１６】
2008264529.tif 000018
【図１７】
2008264529.tif 000019
【図１８】
2008264529.tif 000020
【図１９】
2008264529.tif 000021
【図２０】
2008264529.tif 000022
【図２１】
2008264529.tif 000023
【図２２】
2008264529.tif 000024